(57)【要約】      （修正有）【課題】従来の単純な切欠き棚による防草では、雑草の屈光性及び／又は屈地性を阻害するまでの角度はなく、望むような防草効果は期待できない。またこの発明は、傾斜面の横の目地となる部分に隙間ができると、防草効果を図るためには、傾斜面に対し物理的に遮断する手段が必要となり、問題である。【解決手段】ブロック１に設けた下向き傾斜面５と、上向き傾斜面４でなる略Ｖ字形の防草傾斜面と、略Ｖ字形の防草傾斜面に充填された舗装面２の略逆Ｖ字形の防草傾斜面とで構成される構造物の目地３であって、ブロック１の下向き傾斜面５と、側面鉛直面との連結箇所を湾曲連結部とし、湾曲連結部は、ブロックの略Ｖ字形の防草傾斜面を、舗装面２又は他の構造物の下側に位置する構成として構造物の防草目地構造を形成した。【選択図】図１−１
2007291825.tif 000002
【特許請求の範囲】
【請求項１】
ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とし、
この湾曲連結部は、前記ブロックの略Ｖ字形の防草傾斜面に、舗装面を舗装、又は他の構造物を設置した際に、この舗装又は他の構造物の下側に位置する構成とした構造物の目地の構造。
【請求項２】
ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を連結凹部とし、
この湾曲連結部と連結凹部は、前記ブロックの略Ｖ字形の防草傾斜面に、舗装面を舗装、又は他の構造物を設置した際に、この舗装又は他の構造物の下側に位置する構成とした構造物の目地の構造。
【請求項３】
ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面又は他の構造物の逆略Ｖ字形の防草傾斜面を二重或いは複数に構成し、略Ｗ字形の防草傾斜面とで構成される構造物の目地であって、
このブロックの下向き傾斜面と、側面鉛直面との連結箇所を湾曲連結部とし、
この湾曲連結部は、前記ブロックの略Ｗ字形の防草傾斜面に、舗装面を舗装、又は他の構造物を設置した際に、この舗装又は他の構造物の下側に位置する構成とした構造物の目地の構造。
【請求項４】
ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面又は他の構造物の逆略Ｖ字形の防草傾斜面を二重或いは複数に構成し、略Ｗ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を二重或いは複数に構成し、略Ｗ字形の連結凹部とし、
この略Ｗ字形の湾曲連結部と略Ｗ字形の連結凹部は、前記ブロックの略Ｗ字形の防草傾斜面に、舗装面を舗装、又は他の構造物を設置した際に、この舗装又は他の構造物の下側に位置する構成とした構造物の目地の構造。
【請求項５】
請求項１〜請求項４に記載の構造物の目地の構造であって、この舗装面は、コンクリート、アスファルトコンクリート等の歩道、車道等の舗装構造物、又はコンクリート、アスファルトコンクリート等の建物、躯体、塀等の構造物で、他方の構造物がコンクリート、アスファルトコンクリート等の舗装面でなる歩道、車道等の舗装構造物でなる構造物の目地の構造。
【発明の詳細な説明】
【技術分野】
【０００１】
本発明は防草等を意図した各種の構造物（構築物、舗装面、護岸舗装面、法面舗装面又は護岸ブロック、法面ブロック等の各種のブロック「コンクリート二次製品」と道路舗装構造と舗装面等、又は前記これら同士等）の目地の構造に関する。
【背景技術】
【０００２】
従来、例えば、道路における車道と歩道、又は車道と中央分離帯等において、その境界を仕切るコンクリート製の境界ブロック、例えば、縁石（一方の構造物とする）が設置されている。このような道路の施工は、養生、乾燥されたコンクリート製の境界ブロックの側面（壁面）に、現場打ち（打設）のコンクリートやアスファルトコンクリート等の流動体の舗装構造物（他方の構造物とする）を打設した後に乾燥硬化させて車道等を形成することから、経年により上記のコンクリートやアスファルトコンクリート等の舗装構造物が乾燥収縮及び／又は接着剤の経年変化等によって、このコンクリート製の境界ブロックと舗装構造物との境目に隙間が発生する。即ち、境界ブロックの壁面と舗装構造物との間に縦方向（鉛直方向）の段差隙間（段差目地）が発生する。
【０００３】
また同じような状況は、コンクリートの建物、駆体等（ブロックの一種とみなす）と、隣接する打設コンクリート路面、同床面等の舗装構造物（他方の構造物とする）においても、同様に縦方向の目地（面一目地）が発生する。
【０００４】
さらに同じ状況は、側溝、水路、フェンスブロック（ガードウォール）等のコンクリート構造物（ブロック）と、隣接する打設コンクリート路面、同床面等（他方の構造物とする）においても同様な状況となり、縦方向に目地（段差目地）が発生する。
【０００５】
この目地が垂直方向（鉛直方向）に発生した場合には、この垂直目地（鉛直目地）内に在留及び／又は飛来する種子、又はこの目地内に雨水等で流れ込む種子がある状況では、光及び／又は水分が確保されることで、発芽し、光合成を基にしてすくすくと生育し、この目地外に成長することが判明している。このように雑草の繁殖を許すことは、草刈を要することによる各種の問題の発生と、雑草の影響による見通し悪化等の交通事故の発生の要因となることが懸念されている。従って、主として平坦地を対象とする雑草の繁殖を防止する（防草）対策が重要である。
【０００６】
そして、また河川、土手、溜池等の法面に設置される傾斜地に対するブロック同士においても、前述のような目地の状況は発生する。殊に、このコンクリート同士をモルタル等の流動体で連繋する場合、下地としてモルタル及び／又はグリ石等を施工後に設置する場合等においては、前述のような状況になり易く、この種の防草対策が重要になる。そして、この法面における草刈、その後の処理の危険性と、作業の困難性は極めて大変である故、前述の主として平坦地を対象とする防草対策に対して、一層の配慮が要求される。
【０００７】
このような構造物の目地の構造として、従来、次のような文献（１）〜（４）の発明が知られている。以下、その概要を説明する。
【０００８】
文献（１）として、特開平８−１１３９０６号の「コンクリートブロックとコンクリート壁およびコンクリート壁の製造のための部材」がある。この発明は、コンクリートブロックの略垂直な前面及び背面の下部に切り欠き棚を形成し、この切り欠き棚で防草を図る構成である。
【０００９】
また文献（２）として、特開平１０−８２０１２号の「雑草防止型歩車道境界ブロック」がある。この発明は、歩車道境界ブロックの歩道側の側面上端角部に切り込みを設け、歩道のアスファルト舗装との接合部の隙間の発生を回避し、この接合部からの雑草の発生を防止することを意図する。
【００１０】
さらに文献（３）として、特開２００４−１６９５４４の「防草等を意図した構造物の構造と構造物と構造物の防草等の工法」がある。この発明は、構造物等に形成された目地が存在しても、防草用凹部の形状が、雑草の根の屈地性及び／又は雑草の芽の屈光性を阻害する機能があり、この機能を利用した画期的な防草等を意図した構造物の構造、構造物と構造物の防草等の工法を提供する。
【００１１】
【特許文献１】特開平８−１１３９０６号
【特許文献２】特開平１０−８２０１２号
【特許文献３】特開２００４−１６９５４４
【発明の開示】
【発明が解決しようとする課題】
【００１２】
文献（１）の発明は、単純な切欠き棚による防草では、雑草の屈光性及び／又は屈地性を阻害するまでの角度はなく、望むような防草効果は期待できない。そして、この発明は、傾斜面の横の目地となる部分に隙間ができると、防草効果を図るためには、傾斜面に対し物理的に遮断する手段が必要となり、その手段が、明細書の[００２２]に記載されている。棚面をコンクリートで覆う手段として転圧をすることから、経年的に、この棚面と、コンクリート面との間には隙間が形成されるので、防草効果が期待できない。
【００１３】
また文献（２）の発明は、単純な接合部の隙間の発生の回避による防草では、雑草の屈光性及び／又は屈地性を阻害するまでには到らず、望むような防草効果は期待できない。また雑草は、僅かな隙間でも発芽及び／又は成長することから、これによる防草効果も単に願望の域に留まるものと思料される。
【００１４】
文献（３）の発明は、防草用凹部の形状が、雑草の根の屈地性及び／又は雑草の芽の屈光性を阻害する機能があり、この機能を利用した画期的な防草効果が図れることは確かであり、有益な発明である。しかし、この発明は、鉛直面と防草用凹部とが、湾曲連結部及び／又は連結凹部を備えない構造であるので、欠損の虞があること、又は成形時の型抜きに手間と熟練とを有すること等の改良点がある。そして、また、この防草用凹部に、コンクリート舗装の流動はよいが、アスファルト舗装を図る際に、転圧を要すること、又は押込み手段・施工を要すること等の問題的を、一部に含んでいる。
【００１５】
上記に鑑み本発明は、［１］  目地の境界部に、湾曲連結部及び／又は連結凹部を備えた構造とすることで、ブロック及び／又は舗装面の欠損を回避すること、[２]  目地の境界部に、湾曲連結部及び／又は連結凹部を備えた構造を採用して、雑草の屈光性及び／又は屈地性を阻害し、防草効果が図れる目地の構造を提供すること、［３］  またブロック成形の容易化、簡略化等を介して経済性の向上と、工期の短縮化等の如く、現実に即した防草効果が発揮できる目地用のブロックを提供すること、［４］  またブロックに、湾曲連結部及び／又は連結凹部を備えた構造を採用して、このブロックの運搬時、取扱い時の容易化、簡略化等を図ること、[５]  前記の如し、ブロックに設けた下向き傾斜面と、この下向き傾斜面に連設して設けた上向き傾斜面で構成した略Ｖ字形の防草傾斜面と、この略Ｖ字形の防草傾斜面に充填される逆略Ｖ字形の防草傾斜面とで構成される構造物の目地であり、この下向き傾斜面及び／又は上向き傾斜面に経年で隙間が生じても、自然の摂理で防草を図ること、［６］  さらに必要により、法面に対して、目地が所定の傾斜面となる形状及び／又は所定の傾斜面となる角度、必要により傾斜面の長さを特定することで、雑草の屈光性及び／又は屈地性を阻害し、防草効果が図れる目地の構造を提供すること、
等を意図する。
【課題を解決するための手段】
【００１６】
請求項１・２の発明は、前述の[１]〜[５]の目的を達成することを意図する。
【００１７】
請求項１は、ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とし、
この湾曲連結部は、前記ブロックの略Ｖ字形の防草傾斜面に、舗装面を舗装、又は他の構造物を設置した際に、この舗装又は他の構造物の下側に位置する構成とした構造物の目地の構造である。
【００１８】
請求項２は、ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を連結凹部とし、
この湾曲連結部と連結凹部は、前記ブロックの略Ｖ字形の防草傾斜面に、舗装面を舗装、又は他の構造物を設置した際に、この舗装又は他の構造物の下側に位置する構成とした構造物の目地の構造である。
【００１９】
請求項３・４の発明は、前述の[１]〜[５]の目的を達成することと、[７]  ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装逆略Ｖ字形の防草傾斜面を二重或いは複数に構成し、略Ｗ字形の防草傾斜面とで構成される構造物の目地を提供し、防草効果を略１００％達成することを意図する。
【００２０】
請求項３は、ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面又は他の構造物の逆略Ｖ字形の防草傾斜面を二重或いは複数に構成し、略Ｗ字形の防草傾斜面とで構成される構造物の目地であって、
このブロックの下向き傾斜面と、側面鉛直面との連結箇所を湾曲連結部とし、
この湾曲連結部は、前記ブロックの略Ｗ字形の防草傾斜面に、舗装面を舗装、又は他の構造物を設置した際に、この舗装又は他の構造物の下側に位置する構成とした構造物の目地の構造である。
【００２１】
請求項４は、ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面の又は他の構造物の逆略Ｖ字形の防草傾斜面を二重或いは複数に構成し、略Ｗ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を二重或いは複数に構成し、略Ｗ字形の連結凹部とし、
この略Ｗ字形の湾曲連結部と略Ｗ字形の連結凹部は、前記ブロックの略Ｗ字形の防草傾斜面に、舗装面を舗装、又は他の構造物を設置した際に、この舗装又は他の構造物の下側に位置する構成とした構造物の目地の構造である。
【００２２】
請求項５の発明は、請求項１〜請求項４の目的を達成すること、この目的を達成するに最適な舗装面の構造を提供することを意図する。
【００２３】
請求項５は、請求項１〜請求項４に記載の構造物の目地の構造であって、この舗装面は、コンクリート、アスファルトコンクリート等の歩道、車道等の舗装構造物、又はコンクリート、アスファルトコンクリート等の建物、躯体、塀等の構造物で、他方の構造物がコンクリート、アスファルトコンクリート等の舗装面でなる歩道、車道等の舗装構造物でなる構造物の目地の構造
【発明の効果】
【００２４】
請求項１の発明は、ブロックに設けた下向き傾斜面と、下向き傾斜面に連設して設けた上向き傾斜面で構成した略Ｖ字形の防草傾斜面と、略Ｖ字形の防草傾斜面に充填された舗装又は他の構造物の逆略Ｖ字形の防草傾斜面とで構成される構造物の目地であって、
ブロックの下向き傾斜面と、側面鉛直面との連結箇所を湾曲連結部とし、
湾曲連結部は、ブロックの略Ｖ字形の防草傾斜面に、舗装面を舗装、又は他の構造物を設置した際に、舗装又は他の構造物の下側に位置する構成とした構造物の目地の構造である。
【００２５】
請求項２の発明は、ブロックに設けた下向き傾斜面と、下向き傾斜面に連設して設けた上向き傾斜面で構成した略Ｖ字形の防草傾斜面と、略Ｖ字形の防草傾斜面に充填された舗装又は他の構造物の逆略Ｖ字形の防草傾斜面とで構成される構造物の目地であって、
ブロックの下向き傾斜面と、側面鉛直面との連結箇所を湾曲連結部とするとともに、下向き傾斜面と、上向き傾斜面との連結箇所を連結凹部とし、
湾曲連結部と連結凹部は、ブロックの略Ｖ字形の防草傾斜面に、舗装面を舗装、又は他の構造物を設置した際に、舗装又は他の構造物の下側に位置する構成とした構造物の目地の構造である。
【００２６】
従って、請求項１・２は、下記の[１]〜[５]の特徴を有する。
【００２７】
［１］  目地の境界部に、湾曲連結部及び／又は連結凹部を備えた構造とすることで、ブロック及び／又は舗装面の欠損の回避が図れること、[２]  目地の境界部に、湾曲連結部及び／又は連結凹部を備えた構造を採用して、雑草の屈光性及び／又は屈地性を阻害し、防草効果が図れる目地の構造を提供できること、［３］  またブロック成形の容易化、簡略化等を介して経済性の向上と、工期の短縮化等の如く、現実に即した防草効果が発揮できる目地用のブロックを提供できること、［４］  またブロックに、湾曲連結部及び／又は連結凹部を備えた構造を採用して、このブロックの運搬時、取扱い時の容易化、簡略化等が図れること、[５]  前記の如し、ブロックに設けた下向き傾斜面と、この下向き傾斜面に連設して設けた上向き傾斜面で構成した略Ｖ字形の防草傾斜面と、この略Ｖ字形の防草傾斜面に充填される逆略Ｖ字形の防草傾斜面とで構成される構造物の目地であり、この下向き傾斜面及び／又は上向き傾斜面に経年で隙間が生じても、自然の摂理で防草が図れること、等である。
【００２８】
請求項３の発明は、ブロックに設けた下向き傾斜面と、下向き傾斜面に連設して設けた上向き傾斜面で構成した略Ｖ字形の防草傾斜面を二重或いは複数に構成し、略Ｗ字形の防草傾斜面と、略Ｗ字形の防草傾斜面に充填される舗装面又は他の構造物の逆略Ｖ字形の防草傾斜面を二重或いは複数に構成し、略Ｗ字形の防草傾斜面とで構成される構造物の目地であって、
ブロックの下向き傾斜面と、側面鉛直面との連結箇所を湾曲連結部とし、
湾曲連結部は、ブロックの略Ｗ字形の防草傾斜面に、舗装面を舗装、又は他の構造物を設置した際に、舗装又は他の構造物の下側に位置する構成とした構造物の目地の構造である。
【００２９】
請求項４の発明は、ブロックに設けた下向き傾斜面と、下向き傾斜面に連設して設けた上向き傾斜面で構成した略Ｖ字形の防草傾斜面を二重或いは複数に構成し、略Ｗ字形の防草傾斜面と、略Ｗ字形の防草傾斜面に充填される舗装面又は他の構造物の逆略Ｖ字形の防草傾斜面を二重或いは複数に構成し、略Ｗ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を二重或いは複数に構成し、略Ｗ字形の連結凹部とし、
略Ｗ字形の湾曲連結部と略Ｗ字形の連結凹部は、ブロックの略Ｗ字形の防草傾斜面に、舗装面を舗装、又は他の構造物を設置した際に、舗装又は他の構造物の下側に位置する構成とした構造物の目地の構造である。
【００３０】
従って、請求項３・４は、前述の[１]〜[５]の目的を達成できることと、[７]  ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装逆略Ｖ字形の防草傾斜面を二重或いは複数に構成し、略Ｗ字形の防草傾斜面とで構成される構造物の目地を提供し、防草効果を略１００％達成できること、等の特徴を有する。
【００３１】
請求項５の発明は、請求項１〜請求項４に記載の構造物の目地の構造であって、舗装面は、コンクリート、アスファルトコンクリート等の歩道、車道等の舗装構造物、又はコンクリート、アスファルトコンクリート等の建物、躯体、塀等の構造物で、他方の構造物がコンクリート、アスファルトコンクリート等の舗装面でなる歩道、車道等の舗装構造物（構築物、又は建造物等の構造物）でなる構造物の目地の構造である。
【００３２】
従って、請求項５は、請求項１〜請求項４の目的を達成できること、この目的を達成するに最適な舗装面の構造を提供できること等の特徴を有する。
【発明を実施するための最良の形態】
【００３３】
本発明の好ましい実施の形態を図面に基づいて説明する。
【００３４】
図面の説明をする。
【００３５】
第一実施例を示した図１−１は境界ブロック等のブロックとコンクリート及び／又はアスファルトコンクリート等の舗装面（歩道、車道又は中央分離帯等であり、舗装面とする）との関係による目地の一例を示した断面図、図１−１−１は図１の上縁片側の要部を拡大した断面図、図１−１−２は図１の下縁片側の要部を拡大した断面図、図１−１−３は図１の経年変化で下向き経年隙間が形成された状態を示した断面図、またこの第一実施例の他の第一実施例を示した図１−２は図１−１の鉛直面を傾斜面とした断面図、さらにこの第一実施例の別の第一実施例を示した図１−３は図１−１の鉛直面を傾斜面とした断面図である。
【００３６】
第二実施例を示した図２は街渠ブロック、エプロンブロック等のブロックと舗装面との関係による目地の一例を示した断面図、図２−１は図２の経年変化で下向き経年隙間が形成された状態を示した、上縁片側の要部を拡大した断面図、図２−２は図２の経年変化で下向き経年隙間が形成された状態を示した下縁片側の要部を拡大した断面図である。
【００３７】
またこの第二実施例の他の第二実施例を示した図３は図２の他の例を示した断面図（下向き傾斜面と、上向き傾斜面との連結箇所を二重に構成した例である。この二重は複数重の場合もあり得る）、図３−１は図３の経年変化で下向き経年隙間が形成された状態を示した、上縁片側の要部を拡大した断面図である。
【００３８】
第三実施例を示した図４−１は略Ｕ字型ブロック（側溝）等のブロックと舗装面との関係による目地の一例を示した断面図、図４−１−１は図４−１の経年変化で下向き経年隙間が形成された状態を示した、上縁片側の要部を拡大した断面図、図４−２はＵ字型ブロック（水路）等のブロックと舗装面との関係による目地の一例を示した断面図である。
【００３９】
第四実施例を示した図５はカーブ形状の境界ブロック等のブロックと舗装面との関係による目地の一例を示した断面図である。
【００４０】
第五実施例を示した図６は舗装面同士の関係による目地の一例を示した断面図、図６−１は図６の経年変化で下向き経年隙間が形成された状態を示した、上縁片側の要部を拡大した断面図である。
【００４１】
第六実施例を示した図７は境界ブロック等のブロックと舗装面との関係による目地の一例を示した断面図、図７−１は図７の経年変化で下向き経年隙間が形成された状態を示した、上縁片側の要部を拡大した断面図、図７−２は図７の経年変化で下向き経年隙間が形成された状態を示した下縁片側の要部を拡大した断面図である。
【００４２】
第七実施例を示した図８は躯体と舗装面との関係による目地の一例を示した断面図、図８−１は図８の経年変化で下向き経年隙間が形成された状態を示した、上縁片側の要部を拡大した断面図である。
【００４３】
第八実施例を示した図９は境界ブロック等のブロックと舗装面との関係による目地の一例を示した断面図である。
【００４４】
第九実施例を示した図１０−１は暗渠ブロックとコンクリート及び／又はアスファルトコンクリート等の舗装面との関係による目地の一例を示した断面図、図１０−１−１は図１０−１の経年変化で下向き経年隙間が形成された状態を示した、要部を拡大した断面図、図１０−１−２は図１０−１の経年変化で下向き経年隙間が形成された状態を示した要部（図１０−１−２と反対側）を拡大した断面図、また第十実施例を示した図１０−２は暗渠ブロックとコンクリート及び／又はアスファルトコンクリート等の舗装面との関係による目地の他の一例を示した断面図である。
【００４５】
第十一実施例を示した図１１はガードレール用、標識用、その他の基礎等の立設物用のコンクリートブロック構造物における目地の関係を示した斜視図である。
【００４６】
先ず、図１−１に示した第一実施例を説明すると、境界ブロック等のブロック１（コンクリート二次製品の一例である）とコンクリート及び／又はアスファルトコンクリート等の舗装面２との関係による目地の一例を示した断面図において、１は工場において成形、養生、硬化されたプレキャストコンクリート製、アスファルトコンクリート製、或いは樹脂入りコンクリート製等による境界ブロック等のブロックで、このブロック１（一方の構造物となる）の上縁片側１ａと舗装面２（他方の構造物）で形成される目地３には、所定角度の下向き傾斜面５と、この下向き傾斜面５に連設して上向き傾斜面４で略Ｖ字形の防草傾斜面１３を形成する。そして、この下向き傾斜面５と上縁片側１ａの鉛直面６との連結箇所を湾曲連結部９とする。この略Ｖ字形の防草傾斜面１３は、充填された舗装（他方の構造物）で形成される略逆Ｖ字形の防草傾斜面１５で隠蔽される。
【００４７】
また下向き傾斜面５と上向き傾斜面４との連結箇所を連結凹部１０（湾曲連結凹部か、又は鋭角連結凹部とする）とする。さらにブロック１の表面１ｃと上向き傾斜面４との連結箇所を湾曲表面連結部１２とする。尚、連結凹部１０を湾曲連結凹部とすれば、欠損に有効であり、又は連結凹部１０を鋭角連結凹部とすれば、防草効果が期待できる。また前記湾曲表面連結部１２は、アスファルト等の流動体の充填材に有効である（他の各実施例も同じ）。さらにこの湾曲表面連結部１２を鋭角表面連結部（図示せず）とし、コンクリートの充填材に対応することが望ましい（他の各実施例も同じ）。
【００４８】
従って、このブロック１の略Ｖ字形の防草傾斜面１３は、全ての連結部（湾曲連結部９、連結凹部１０、又は湾曲表面連結部１２）を曲面形状とすることで、当該ブロック１の欠損を回避できること、取扱い・管理の容易化が図れること、又は舗装面２の亀裂防止に有効であること等の特徴がある。
【００４９】
また前述した鉛直面６は、この鉛直面６の上端に形成された湾曲連結部９を介して下向き傾斜面５に連設され、この下向き傾斜面５は連結凹部１０を介して上向き傾斜面４に連設され、さらにこの上向き傾斜面４の上端に形成された湾曲表面連結部１２を経由してブロック１の表面１ｃに至る構成である。尚、この鉛直面６は、略鉛直面を含む構造である（以下、同じであり省略する）。そして、この所定角度の下向き傾斜面５を利用して雑草の根の屈地性及び／又は雑草の芽の屈光性を阻害できる下向きの経年による間隙１４（下向き経年隙間）が、略Ｖ字形の防草傾斜面１３と略逆Ｖ字形の防草傾斜面１５との間に形成されても防草効果が図れる。この下向き経年隙間１４は、ブロック１と舗装面２との伸縮差に起因するものであり、通常は二〜三年を経過することで発生する。しかし、本発明では、前述の如く、下向き傾斜面５を有する限り防草効果が図れる構造である。
【００５０】
またこのブロック１の下縁片側１ｂの下縁１ｂ−１には、舗装面２とで形成される目地３には、鉛直面６の下縁片側１ｂを欠截して設けた略倒Ｌ字形となる所定角度の下向き傾斜面５に連設して鉛直面６ａ又は傾斜面（図示せず。以下同じ）を設ける。この例においても、湾曲連結部９と、連結凹部１０が形成される。そして、この例における構成及び／又は効果は、前記上縁片側１ａに準ずる。
【００５１】
そして、図１−１−３は、下向き経年隙間１４の理解を容易にするために、幾分、誇張して示した断面図である。
【００５２】
図１−２に示した他の第一実施例は、前記図１−１の第一実施例を変更した構成である。この他の第一実施例を説明すると、ブロック１の下縁片側１ｂに、傾斜目地３aを形成した構成であり、この下縁片側１ｂの鉛直面６を少し傾斜させて傾斜面６ａ−１とする。そして、この鉛直面６が傾斜面６ａ−１となることで、傾斜目地３ａに対する転圧がかかりやすくなり、例えば、この傾斜目地３ａに対する防草効果に寄与できると考えられる。その他の構成、効果は第一実施例に準ずる。
【００５３】
さらに図１−３の別の第一実施例は、前記他の第一実施例の舗装面２の深さを変更した例であり、その他の構成及び／又は効果は、この他の第一実施例に準ずる。
【００５４】
次に、図２に示した第二実施例を説明すると、２０は工場において成形、養生、硬化されたプレキャストコンクリート製、アスファルトコンクリート製、或いは樹脂入りコンクリート製等による街渠ブロック、エプロンブロック等のブロックで、このブロック２０（一方の構造物となる）の上縁片側２０ａと舗装面２２（他方の構造物）で形成される目地２３には、所定角度の下向き傾斜面２５と、この下向き傾斜面２５に連設して上向き傾斜面２４で略Ｖ字形の防草傾斜面３３を形成する。そして、この下向き傾斜面２５と上縁片側２０ａの鉛直面２６との連結箇所を湾曲連結部２９とする。この略Ｖ字形の防草傾斜面３３は、充填された舗装（他方の構造物）で形成される略逆Ｖ字形の防草傾斜面３８で隠蔽される。
【００５５】
また下向き傾斜面２５と上向き傾斜面２４との連結箇所を連結凹部３０とする。さらにブロック２０の表面２０ｃと上向き傾斜面２４との連結箇所を湾曲表面連結部３２とする。
【００５６】
従って、このブロック２０の略Ｖ字形の防草傾斜面３３は、全ての連結部（湾曲連結部２９、連結凹部３０、又は湾曲表面連結部３２）を曲面形状とすることで、当該ブロック２０の欠損を回避できること、取扱い・管理の容易化が図れること、又は舗装面２２の亀裂防止に有効であること等の特徴がある。
【００５７】
また前述した鉛直面２６は、この鉛直面２６の上端に形成された湾曲連結部２９を介して下向き傾斜面２５に連設され、この下向き傾斜面２５は連結凹部３０を介して上向き傾斜面４に連設され、さらにこの上向き傾斜面２４の上端に形成された湾曲表面連結部３２を経由してブロック２０の表面２０ｃに至る構成である。
【００５８】
そして、このブロック２０の下縁片側２０ｂと舗装面２２とで形成される目地２３には、鉛直面２６と凹形状の略７０°の上向き傾斜面２４及び／又はこの下向き傾斜面２５に連設して上向き傾斜面２４と鉛直面２６ａを設ける。そして、この所定角度の下向き傾斜面２５を利用して雑草の根の屈地性及び／又は雑草の芽の屈光性を阻害できる下向きの経年による間隙３４（下向き経年隙間）又は上下向き経年隙間３４ａが、略Ｖ字形の防草傾斜面３３と略逆Ｖ字形の防草傾斜面３８との間に形成されても防草効果が図れる。尚、この例に於いても、前述した第一実施例の下縁片側１ｂの構造を採用することは可能である。図中３５は上向き傾斜面２４及び／又は下向き傾斜面２５で形成される凹部を示す。またこの下向き傾斜面２５は湾曲連結凹部３６を介して上向き傾斜面２４に連設される。この湾曲連結凹部３６は、前記連結凹部３０に対して大きい湾曲角度を備えており、舗装面２２を構築する際に、コンクリートの自然な流動を図ること、またこの流動の際に、転圧を要せず構築可能とすること等を意図する。
【００５９】
また、図３に示した他の第二実施例を説明すると、基本的な構成は、前記第二実施例に準ずるが、この例では、ブロック２０の上縁片側２０ａと舗装面２２で形成される目地２３には、所定角度の下向き傾斜面２５と、この下向き傾斜面２５に連設して上向き傾斜面２４で略Ｖ字形の防草傾斜面３３を形成する。そして、この下向き傾斜面２５と上向き傾斜面２４で形成した略Ｖ字形の防草傾斜面３３を二重に構成し、略Ｗ形の防草傾斜面３７を形成する。またこの下向き傾斜面２５と上縁片側２０ａの鉛直面２６との連結箇所を湾曲連結部２９とする。そして、この図３は下向き傾斜面２４と、上向き傾斜面２５との連結箇所を二重に構成した例であるが、この二重は複数重の場合もあり得る。そして、複数重では、防草効果があることは明らかである。
【００６０】
また下向き傾斜面２５と上向き傾斜面２４との連結箇所を連結凹部３０とする。さらにブロック２０の表面２０ｃと上向き傾斜面２４との連結箇所を、それぞれ湾曲表面連結部３２とする。
【００６１】
従って、このブロック２０の略Ｗ字形の防草傾斜面３７は、全ての連結部（湾曲連結部２９、連結凹部３０、又は湾曲表面連結部３２）を曲面形状とすることで、当該ブロック２０の欠損を回避できること、取扱い・管理の容易化が図れること、又は舗装面２２の亀裂防止に有効であること等の特徴がある。
【００６２】
また前述した鉛直面２６は、この鉛直面２６の上端に形成された湾曲連結部２９を介して下向き傾斜面２５に連設され、この下向き傾斜面２５は連結凹部３０を介して上向き傾斜面４に連設され、さらにこの上向き傾斜面２４の上端に形成された湾曲表面連結部３２を経由してブロック２０の表面２０ｃに至る構成である。
【００６３】
そして、この他の第二実施例で説明した略Ｗ字形の防草傾斜面３７は、前述の第一、第二実施例と、後述する第三〜第九実施例において採用可能であることは勿論である。
【００６４】
また、このブロック２０の下縁片側２０ｂと舗装面２２とで形成される目地２３には、鉛直面２６を設ける。そして、この鉛直面２６には、この鉛直面２６に隣接して打設される舗装面２２に対する転圧力を利用して幾分の雑草の根及び／又は芽の生長を阻害することも可能である。そして、この例においても、前述した各実施例に準じた構成を採用する。
【００６５】
図４−１に示した第三実施例を説明すると、４０は工場において成形、養生、硬化された水路用の略Ｕ字型ブロック（側溝を含む。）で、このブロック４０（一方の構造物となる）の左右の上縁片側４０ａ（一方側で説明する）と各舗装面４２（他方の構造物）で形成される各目地４３（一方側で説明する）には、所定角度の下向き傾斜面４５と、この下向き傾斜面４５に連設して上向き傾斜面４４で略Ｖ字形の防草傾斜面５３を形成する。そして、この下向き傾斜面４５と上縁片側４０ａのテーパ形状の鉛直面４６との連結箇所を湾曲連結部４９とする。
【００６６】
また下向き傾斜面４５と上向き傾斜面４４との連結箇所を連結凹部５０とする。さらにブロック４０の表面４０ｃと上向き傾斜面４４との連結箇所を湾曲表面連結部５２とする。
【００６７】
従って、このブロック４０の略Ｖ字形の防草傾斜面５３は、全ての連結部（湾曲連結部４９、連結凹部５０、又は湾曲表面連結部５２）を曲面形状とすることで、当該ブロック４０の欠損を回避できること、取扱い・管理の容易化が図れること、又は舗装面４２の亀裂防止に有効であること等の特徴がある。この略Ｖ字形の防草傾斜面５３は、充填された舗装（他方の構造物）で形成される略逆Ｖ字形の防草傾斜面５５で隠蔽される。
【００６８】
尚、鉛直面４６は、この鉛直面４６の上端に形成された湾曲連結部４９を介して下向き傾斜面４５に連設され、この下向き傾斜面４５は連結凹部５０を介して上向き傾斜面４４に連設される。そして、この上向き傾斜面４４の上端に形成される湾曲表面連結部５２を経由してブロック４０の表面４０ｃに至る構成である。そして、この所定角度の下向き傾斜面４５を利用して雑草の根の屈地性及び／又は雑草の芽の屈光性を阻害できる下向きの経年による間隙５４（下向き経年隙間）が、略Ｖ字形の防草傾斜面５３と略逆Ｖ字形の防草傾斜面５５との間に形成されても防草効果が図れる。この下向き経年隙間５４は、ブロック４０と舗装面４２との伸縮差に起因するものであり、通常は二〜三年を経過することで発生する。しかし、本発明では、前述の如く、下向き傾斜面４５を有する限り防草効果が図れる構造である。
【００６９】
また、図４−１−１は、図４−１のブロック４０の上縁片側４０ａを拡大して示した断面図である。
【００７０】
図４−２は水路用のＵ字型ブロック等のブロック４０で、このブロック４０と舗装面４２との関係による目地４３の一例を示した断面図であり、この例は図４−１等の略Ｕ字型ブロックの構造に準ずる。但し、上向き傾斜面４４及び／又は下向き傾斜面４５に連設して鉛直面４６を設ける構成とする。その他の構成は、前述の図４−１等の略Ｕ字型ブロックの構造に準ずる。
【００７１】
次に図５に示した第四実施例を説明すると、第一実施例のブロック１と舗装面２に準ずる構造であるが、その相違点は、下記の構成となる。このブロック６０がカーブ形状であること、また下縁片側６０ｂが鉛直形状であること等が挙げられる。
【００７２】
図６に示した第五実施例を説明すると、舗装面８２、８２は現場において成形、養生、硬化されたプレキャストコンクリート製、アスファルトコンクリート製、或いは樹脂入りコンクリート製等であり、この舗装面８２（一方の構造物となる）の上縁片側８２ａと舗装面８２（他方の構造物）で形成される目地８３には、所定角度の下向き傾斜面８５と、この下向き傾斜面８５に連設して上向き傾斜面８４で略Ｖ字形の防草傾斜面９３を形成する。そして、この下向き傾斜面８５と上縁片側８２ａの鉛直面８６との連結箇所を湾曲連結部８９とする。この略Ｖ字形の防草傾斜面９３は、充填された舗装（他方の構造物）で形成される略逆Ｖ字形の防草傾斜面９５で隠蔽される。
【００７３】
また下向き傾斜面８５と上向き傾斜面８４との連結箇所を連結凹部９０とする。さらに舗装面８２の表面８２ｃと上向き傾斜面８４との連結箇所を湾曲表面連結部９２とする。
【００７４】
従って、この舗装面８２の略Ｖ字形の防草傾斜面９３は、全ての連結部（湾曲連結部８９、連結凹部９０、又は湾曲表面連結部９２）を曲面形状とすることで、当該舗装面８２の欠損を回避できること、取扱い・管理の容易化が図れること、又は舗装面８２の亀裂防止に有効であること等の特徴がある。
【００７５】
また前述した鉛直面８６は、この鉛直面８６の上端に形成された湾曲連結部８９を介して下向き傾斜面８５に連設され、この下向き傾斜面８５は連結凹部９０を介して上向き傾斜面８４に連設され、さらにこの上向き傾斜面８４の上端に形成された湾曲表面連結部９２を経由して舗装面８２の表面８２ｃに至る構成である。そして、この所定角度の下向き傾斜面８５を利用して雑草の根の屈地性及び／又は雑草の芽の屈光性を阻害できる下向きの経年による間隙９４（下向き経年隙間）が、略Ｖ字形の防草傾斜面９３と略逆Ｖ字形の防草傾斜面９５との間に形成されても防草効果が図れる。この下向き経年隙間９４は、舗装面８２と舗装面８２との伸縮差に起因するものであり、通常は二〜三年を経過することで発生する。しかし、本発明では、前述の如く、下向き傾斜面８５を有する限り防草効果が図れる構造である。
【００７６】
尚、舗装面８２（他の構造物）は、図１−１の下縁片側１ｂと同様な構成のため、説明を省略する。
【００７７】
図７に示した第六実施例を説明すると、１００は工場において成形、養生、硬化されたプレキャストコンクリート製、アスファルトコンクリート製、或いは樹脂入りコンクリート製等による境界ブロック等のブロックで、このブロック１００（一方の構造物となる）の上縁片側１００ａと舗装面１０２（他方の構造物）で形成される目地１０３には、所定角度の下向き傾斜面１０５と、この下向き傾斜面１０５に連設して上向き傾斜面１０４で略Ｖ字形の防草傾斜面１１３を形成する。そして、この下向き傾斜面１０５と上縁片側１００ａの鉛直面１０６との連結箇所を湾曲連結部１０９とする。この略Ｖ字形の防草傾斜面１１３は、充填された舗装（他方の構造物）で形成される略逆Ｖ字形の防草傾斜面１１５で隠蔽される。
【００７８】
また下向き傾斜面１０５と上向き傾斜面１０４との連結箇所を連結凹部１１０とする。
【００７９】
従って、このブロック１００の略Ｖ字形の防草傾斜面１１３は、全ての連結部（湾曲連結部１０９、連結凹部１１０）を曲面形状とすることで、当該ブロック１００の欠損を回避できること、取扱い・管理の容易化が図れること、又は舗装面１０２の亀裂防止に有効であること等の特徴がある。
【００８０】
また前述した鉛直面１０６は、この鉛直面１０６の上端に形成された湾曲連結部８９を介して下向き傾斜面１０５に連設され、この下向き傾斜面１０５は連結凹部１１０を介して上向き傾斜面１０４に連設される。そして、この所定角度の下向き傾斜面１０５を利用して雑草の根の屈地性及び／又は雑草の芽の屈光性を阻害できる下向きの経年による間隙９４（下向き経年隙間）が、略Ｖ字形の防草傾斜面１１３と略逆Ｖ字形の防草傾斜面１１５との間に形成されても防草効果が図れる。この下向き経年隙間１１４は、ブロック１００と舗装面１０２との伸縮差に起因するものであり、通常は二〜三年を経過することで発生する。しかし、本発明では、前述の如く、下向き傾斜面１０５を有する限り防草効果が図れる構造である。
【００８１】
またこのブロック１００の下縁片側１００ｂの下縁１００ｂ−１には、舗装面１０２とで形成される目地１０３には、鉛直面１０６の下縁片側１００ｂを欠截して設けた略倒Ｌ字形となる所定角度の下向き傾斜面１０５に連設して鉛直面１０６ａ又は傾斜面（図示せず。以下同じ）を設ける。この例においても、湾曲連結部１０９と、連結凹部１１０が形成される。そして、この例における構成及び／又は効果は、前記上縁片側１００ａに準ずる。そして、この下縁片側１００ｂの構成は、図１−１と同じである。
【００８２】
また図８に示した第七実施例を説明すると、躯体１２０（基礎、又は柱、建物等を躯体とする）と舗装面１２２との関係による目地の一例を示した断面図において、躯体１２０は現場において成形、養生、硬化されたプレキャストコンクリート製、アスファルトコンクリート製、或いは樹脂入りコンクリート製等であり、この躯体１２０（一方の構造物となる）の上縁片側１２０ａと舗装面１２２（他方の構造物）で形成される目地１２３には、所定角度の下向き傾斜面１２５と、この下向き傾斜面１２５に連設して上向き傾斜面１２４で略Ｖ字形の防草傾斜面１３３を形成する。そして、この下向き傾斜面１２５と上縁片側１２０ａの鉛直面１２６との連結箇所を湾曲連結部１２９とする。この略Ｖ字形の防草傾斜面１３３は、充填された舗装（他方の構造物）で形成される略逆Ｖ字形の防草傾斜面１３５で隠蔽される。
【００８３】
また下向き傾斜面１２５と上向き傾斜面１２４との連結箇所を連結凹部１３０とする。
【００８４】
従って、この躯体１２０の略Ｖ字形の防草傾斜面１３３は、全ての連結部（湾曲連結部１２９、連結凹部１３０）を曲面形状とすることで、当該躯体１２０の欠損を回避できること、取扱い・管理の容易化が図れること、又は舗装面１２２の亀裂防止に有効であること等の特徴がある。
【００８５】
また前述した鉛直面１２６は、この鉛直面１２６の上端に形成された湾曲連結部１２９を介して下向き傾斜面１２５に連設され、この下向き傾斜面１２５は連結凹部１３０を介して上向き傾斜面１２４に連設される。そして、この所定角度の下向き傾斜面１２５を利用して雑草の根の屈地性及び／又は雑草の芽の屈光性を阻害できる下向きの経年による間隙９４（下向き経年隙間）が、略Ｖ字形の防草傾斜面１３３と略逆Ｖ字形の防草傾斜面１３５との間に形成されても防草効果が図れる。この下向き経年隙間１３４は、躯体１２０と舗装面１２２との伸縮差に起因するものであり、通常は二〜三年を経過することで発生する。しかし、本発明では、前述の如く、下向き傾斜面１２５を有する限り防草効果が図れる構造である。
【００８６】
図９に示した第八実施例を説明すると、境界ブロック等のブロック１４０と舗装面１４２との関係による目地１４３の一例を示した断面図において、１４０は工場において成形、養生、硬化されたプレキャストコンクリート製、アスファルトコンクリート製、或いは樹脂入りコンクリート製等による境界ブロック等のブロックで、このブロック１４０（一方の構造物となる）の上縁片側１４０ａと舗装面１４２（他方の構造物）で形成される目地１４３には、所定角度の下向き傾斜面１４５と、この下向き傾斜面１４５に連設して上向き傾斜面１４４で略Ｖ字形の防草傾斜面１５３を形成する。そして、この下向き傾斜面１４５と上縁片側１４０ａの鉛直面１４６との連結箇所を湾曲連結部１４９とする。この略Ｖ字形の防草傾斜面１５３は、充填された舗装（他方の構造物）で形成される略逆Ｖ字形の防草傾斜面１５５で隠蔽される。
【００８７】
また下向き傾斜面１４５と上向き傾斜面１４４との連結箇所を連結凹部１５０とする。さらにブロック１４０の表面１４０ｃと上向き傾斜面１４４との連結箇所を湾曲表面連結部１５２とする。
【００８８】
従って、このブロック１４０の略Ｖ字形の防草傾斜面１５３は、全ての連結部（湾曲連結部１４９、連結凹部１５０、又は湾曲表面連結部１５２）を曲面形状とすることで、当該ブロック１４０の欠損を回避できること、取扱い・管理の容易化が図れること、又は舗装面１４２の亀裂防止に有効であること等の特徴がある。
【００８９】
また前述した鉛直面１４６は、この鉛直面１４６の上端に形成された湾曲連結部１４９を介して下向き傾斜面１４５に連設され、この下向き傾斜面１４５は連結凹部１５０を介して上向き傾斜面１４４に連設される。さらにこの上向き傾斜面１４４の上端に形成された湾曲表面連結部１５２を経由してブロック１４０の表面１４０ｃに至る構成である。そして、この所定角度の下向き傾斜面１４５を利用して雑草の根の屈地性及び／又は雑草の芽の屈光性を阻害できる下向きの経年による間隙９４（下向き経年隙間）が、略Ｖ字形の防草傾斜面１５３と略逆Ｖ字形の防草傾斜面１５５との間に形成されても防草効果が図れる。この下向き経年隙間１５４は、ブロック１４０と舗装面１４２との伸縮差に起因するものであり、通常は二〜三年を経過することで発生する。しかし、本発明では、前述の如く、下向き傾斜面１４５を有する限り防草効果が図れる構造である。
【００９０】
またこのブロック１４０の下縁片側１４０ｂの下縁１４０ｂ−１には、舗装面１４２とで形成される目地１４３には、鉛直面１４６の下縁片側１４０ｂを欠截して設けた略倒Ｌ字形となる所定角度の下向き傾斜面１４５に連設して鉛直面１４６ａ又は傾斜面（図示せず。以下同じ）を設ける。この例においても、湾曲連結部１４９と、連結凹部１５０が形成される。そして、この例における構成及び／又は効果は、前記上縁片側１４０ａに準ずる。
【００９１】
またこの例は中央分離帯を想定しており、前述のブロック１４０が対峙するように設けられ、この中央分離帯が構成（構築）される。
【００９２】
尚、下向き経年隙間１５４は、図１−１−３と同じ構成であるため、図示を省略する。
【００９３】
図１０−１に示した第九実施例を説明すると、暗渠ブロック１６０の一方に、所定角度の下向き傾斜面１６５と、この下向き傾斜面１６５に連設して上向き傾斜面１６４で略Ｖ字形となる防草傾斜面１７３を形成した各例を示しており、この例では、上向き傾斜面１６４及び／又は下向き傾斜面１６５に連設して鉛直面１６６を設ける。この略Ｖ字形の防草傾斜面１７３は、充填された舗装（他方の構造物）で形成される略逆Ｖ字形の防草傾斜面１７５で隠蔽される。
【００９４】
また下向き傾斜面１６５と上向き傾斜面１６４との連結箇所を連結凹部１７０とする。
【００９５】
従って、この暗渠ブロック１６０の略Ｖ字形の防草傾斜面１７３は、全ての連結部（湾曲連結部１６９、連結凹部１７０）を曲面形状とすることで、当該暗渠ブロック１６０の欠損を回避できること、取扱い・管理の容易化が図れること、又は舗装面１０２の亀裂防止に有効であること等の特徴がある。
【００９６】
また前述した鉛直面１６６は、この鉛直面１６６の上端に形成された湾曲連結部１６９を介して下向き傾斜面１６５に連設され、この下向き傾斜面１６５は連結凹部１７０を介して上向き傾斜面１６５に連設される。そして、この所定角度の下向き傾斜面１６５を利用して雑草の根の屈地性及び／又は雑草の芽の屈光性を阻害できる下向きの経年による間隙１７４（下向き経年隙間）が、略Ｖ字形の防草傾斜面１７３と略逆Ｖ字形の防草傾斜面１７５との間に形成されても防草効果が図れる。この下向き経年隙間１７４は、暗渠ブロック１６０と舗装面１６２との伸縮差に起因するものであり、通常は二〜三年を経過することで発生する。しかし、本発明では、前述の如く、下向き傾斜面１６５を有する限り防草効果が図れる構造である。
【００９７】
図１０−２の第十実施例は、前述の第九実施例に順ずる。
【００９８】
以上、主としてブロック等のコンクリート製二次製品と、舗装面等に関して説明したが、舗装面同士の構造物で、例えば、コンクリート及び／又はアスファルト製の各種の目地等、さらに、図１１に示した第十一実施例の如く、ガードレール用のコンクリートブロック構造物１８０（ブロック）における目地１８３等に関しても同様である。尚、本発明の特徴は、前述の下向き経年隙間等において、本発明が提唱する所定角度の下向き傾斜面等を備える限り、この下向き経年隙間等に隙間が発生しても防草効果が達成できる点が最大のポイントである。尚、この下向き傾斜面等の角度を変更した構成例では、その長さとの関係も必要により考慮するべきである。また所定角度の下向き傾斜面等においても、気候等の条件及び／又は雑草の種類・繁殖の状態等において、その長さとの関係も必要により考慮するべき場合もあり得る。
【００９９】
そして、前述した所定角度の下向き傾斜面と、この下向き傾斜面に連設して上向き傾斜面で略Ｖ字形の防草傾斜面を形成する場所は、各種の構造物の側壁（側面）に限定されず、上端、又は上面、下面等の何れでも採用可能であり、全ての目地等に対応でき重宝すること、汎用性があること、簡便であること等の実用的な効果を有する。またポール等の建柱のブロック等に於いても、その目地の箇所に本発明を採用することで防草が図れる卓効がある。
【０１００】
尚、図示しないが、本発明の構成は、他の構造物、例えば、ボックスカルバート、電線類用ブロック、その他のブロック等においても可能である。
【図面の簡単な説明】
【０１０１】
【図１−１】図１−１は境界ブロック等のブロックとコンクリート及び／又はアスファルトコンクリート等の舗装面（歩道、車道又は中央分離帯等であり、舗装面とする）との関係による目地の一例を示した断面図
【図１−１−１】図１−１−１は図１の上縁片側の要部を拡大した断面図、
【図１−１−２】図１−１−２は図１の下縁片側の要部を拡大した断面図
【図１−１−３】図１−１−３は図１の経年変化で下向き経年隙間が形成された状態を示した断面図
【図１−２】図１−２は図１−１の鉛直面を傾斜面とした断面図
【図１−３】図１−３は図１−１の鉛直面を傾斜面とした断面図
【図２】図２は街渠ブロック、エプロンブロック等のブロックと舗装面との関係による目地の一例を示した断面図
【図２−１】図２−１は図２の経年変化で下向き経年隙間が形成された状態を示した、上縁片側の要部を拡大した断面図
【図２−２】図２−１は図２の経年変化で下向き経年隙間が形成された状態を示した、下縁片側の要部を拡大した断面図
【図３】図３は図２の他の例を示した断面図
【図３−１】図３−１は図３の経年変化で下向き経年隙間が形成された状態を示した、上縁片側の要部を拡大した断面図
【図４−１】図４−１は略Ｕ字型ブロック（側溝）等のブロックと舗装面との関係による目地の一例を示した断面図
【図４−１−１】図４−１−１は図４−１の経年変化で下向き経年隙間が形成された状態を示した、上縁片側の要部を拡大した断面図
【図４−２】図４−２はＵ字型ブロック（水路）等のブロックと舗装面との関係による目地の一例を示した断面図
【図５】図５はカーブ形状の境界ブロック等のブロックと舗装面との関係による目地の一例を示した断面図
【図６】図６は舗装面同士の関係による目地の一例を示した断面図
【図６−１】図６−１は図６の経年変化で下向き経年隙間が形成された状態を示した、上縁片側の要部を拡大した断面図
【図７】図７は境界ブロック等のブロックと舗装面との関係による目地の一例を示した断面図
【図７−１】図７−１は図７の経年変化で下向き経年隙間が形成された状態を示した、上縁片側の要部を拡大した断面図
【図７−２】図７−２は図７の経年変化で下向き経年隙間が形成された状態を示した下縁片側の要部を拡大した断面図
【図８】図８は躯体と舗装面との関係による目地の一例を示した断面図
【図８−１】図８−１は図８の経年変化で下向き経年隙間が形成された状態を示した、上縁片側の要部を拡大した断面図
【図９】図９は境界ブロック等のブロックと舗装面との関係による目地の一例を示した断面図
【図１０−１】図１０−１は暗渠ブロックとコンクリート及び／又はアスファルトコンクリート等の舗装面との関係による目地の一例を示した断面図
【図１０−１−１】図１０−１−１は図１０−１の経年変化で下向き経年隙間が形成された状態を示した、要部を拡大した断面図
【図１０−１−２】図１０−１−２は図１０−１の経年変化で下向き経年隙間が形成された状態を示した要部（図１０−１−２と反対側）を拡大した断面図
【図１０−２】図１０−２は暗渠ブロックとコンクリート及び／又はアスファルトコンクリート等の舗装面との関係による目地の他の一例を示した断面図
【図１１】図１１はガードレール用、標識用、その他の基礎等の立設物用のコンクリートブロック構造物における目地の関係を示した斜視図
【符号の説明】
【０１０２】
１              ブロック
１ａ            上縁片側
１ｂ            下縁片側
１ｂ−１        下縁
１ｃ            表面
２              舗装面
３              目地
３ａ            傾斜目地
４              上向き傾斜面
５              下向き傾斜面
６              鉛直面
６ａ            鉛直面
６ａ−１        傾斜面
９              湾曲連結部
１０            連結凹部
１２            湾曲表面連結部（鋭角表面連結部）
１３            略Ｖ字形の防草傾斜面
１４            下向き経年隙間
１５            略逆Ｖ字形の防草傾斜面
２０            ブロック
２０ａ          上縁片側
２０ｂ          下縁片側
２０ｃ          表面
２２            舗装面
２３            目地
２４            上向き傾斜面
２５            下向き傾斜面
２６            鉛直面
２６ａ          鉛直面
２９            湾曲連結部
３０            連結凹部
３２            湾曲表面連結部（鋭角表面連結部）
３３            略Ｖ字形の防草傾斜面
３４            下向き経年隙間
３４ａ          上下向き経年隙間
３５            凹部
３６            湾曲連結凹部
３７            略Ｗ字形の防草傾斜面
３８            略逆Ｖ字形の防草傾斜面
３９            略逆Ｗ字形の防草傾斜面
４０            ブロック
４０ａ          上縁片側
４０ｃ          表面
４２            舗装面
４３            目地
４４            上向き傾斜面
４５            下向き傾斜面
４６            鉛直面
４９            湾曲連結部
５０            連結凹部
５２            湾曲表面連結部（鋭角表面連結部）
５３            略Ｖ字形の防草傾斜面
５４            下向き経年隙間
５５            略逆Ｖ字形の防草傾斜面
６０            ブロック
６０ａ          上縁片側
６０ｃ          表面
６２            舗装面
６３            目地
６４            上向き傾斜面
６５            下向き傾斜面
６６            鉛直面
６９            湾曲連結部
７０            連結凹部
７２            湾曲表面連結部（鋭角表面連結部）
７３            略Ｖ字形の防草傾斜面
７５            略逆Ｖ字形の防草傾斜面
８２            舗装面
８２ａ          上縁片側
８２ｃ          表面
８３            目地
８４            上向き傾斜面
８５            下向き傾斜面
８６            鉛直面
８９            湾曲連結部
９０            連結凹部
９２            湾曲表面連結部（鋭角表面連結部）
９３            略Ｖ字形の防草傾斜面
９４            下向き経年隙間
９５            略逆Ｖ字形の防草傾斜面
１００          ブロック
１００ａ        上縁片側
１００ｂ        下縁片側
１００ｂ−１    下縁
１０２          舗装面
１０３          目地
１０４          上向き傾斜面
１０５          下向き傾斜面
１０６          鉛直面
１０６ａ        鉛直面
１０９          湾曲連結部
１１０          連結凹部
１１３          略Ｖ字形の防草傾斜面
１１４          下向き経年隙間
１１５          略逆Ｖ字形の防草傾斜面
１２０          躯体
１２０ａ        上縁片側
１２２          舗装面
１２３          目地
１２４          上向き傾斜面
１２５          下向き傾斜面
１２６          鉛直面
１２９          湾曲連結部
１３０          連結凹部
１３３          略Ｖ字形の防草傾斜面
１３４          下向き経年隙間
１３５          略逆Ｖ字形の防草傾斜面
１４０          ブロック
１４０ａ        上縁片側
１４０ｂ        下縁片側
１４０ｂ−１    下縁
１４０ｃ        表面
１４２          舗装面
１４３          目地
１４４          上向き傾斜面
１４５          下向き傾斜面
１４６          鉛直面
１４６ａ        鉛直面
１４９          湾曲連結部
１５０          連結凹部
１５２          湾曲表面連結部（鋭角表面連結部）
１５３          略Ｖ字形の防草傾斜面
１５４          下向き経年隙間
１５５          略逆Ｖ字形の防草傾斜面
１６０          暗渠ブロック
１６０ａ        上縁片側
１６０ｃ        表面
１６２          舗装面
１６３          目地
１６４          上向き傾斜面
１６５          下向き傾斜面
１６６          鉛直面
１６９          湾曲連結部
１７０          連結凹部
１７２          湾曲表面連結部（鋭角表面連結部）
１７３          略Ｖ字形の防草傾斜面
１７４          下向き経年隙間
１７５          略逆Ｖ字形の防草傾斜面
１８０          ブロック構造物
１８０ａ        上縁片側
１８０ｃ        表面
１８３          目地
１８４          上向き傾斜面
１８５          下向き傾斜面
１８６          鉛直面
１８９          湾曲連結部
１９０          連結凹部
１９２          湾曲表面連結部（鋭角表面連結部）
１９３          略Ｖ字形の防草傾斜面
１９５          略逆Ｖ字形の防草傾斜面
【図１−１】
2007291825.tif 000003
【図１−１−１】
2007291825.tif 000004
【図１−１−２】
2007291825.tif 000005
【図１−１−３】
2007291825.tif 000006
【図１−２】
2007291825.tif 000007
【図１−３】
2007291825.tif 000008
【図２】
2007291825.tif 000009
【図２−１】
2007291825.tif 000010
【図２−２】
2007291825.tif 000011
【図３】
2007291825.tif 000012
【図３−１】
2007291825.tif 000013
【図４−１】
2007291825.tif 000014
【図４−１−１】
2007291825.tif 000015
【図４−２】
2007291825.tif 000016
【図５】
2007291825.tif 000017
【図６】
2007291825.tif 000018
【図６−１】
2007291825.tif 000019
【図７】
2007291825.tif 000020
【図７−１】
2007291825.tif 000021
【図７−２】
2007291825.tif 000022
【図８】
2007291825.tif 000023
【図８−１】
2007291825.tif 000024
【図９】
2007291825.tif 000025
【図１０−１】
2007291825.tif 000026
【図１０−１−１】
2007291825.tif 000027
【図１０−１−２】
2007291825.tif 000028
【図１０−２】
2007291825.tif 000029
【図１１】
2007291825.tif 000030
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とし、
この湾曲連結部は、前記ブロックの略Ｖ字形の防草傾斜面に、舗装面を舗装、又は他の構造物を設置した際に、この舗装又は他の構造物の下側に位置する構成とした構造物の目地の構造。
【請求項２】
ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を連結凹部とし、
この湾曲連結部と連結凹部は、前記ブロックの略Ｖ字形の防草傾斜面に、舗装面を舗装、又は他の構造物を設置した際に、この舗装又は他の構造物の下側に位置する構成とした構造物の目地の構造。
【請求項３】
ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面又は他の構造物の逆略Ｖ字形の防草傾斜面を二重或いは複数に構成し、逆略Ｗ字形の防草傾斜面とで構成される構造物の目地であって、  このブロックの下向き傾斜面と、側面鉛直面との連結箇所を湾曲連結部とし、
この湾曲連結部は、前記ブロックの略Ｗ字形の防草傾斜面に、舗装面を舗装、又は他の構造物を設置した際に、この舗装又は他の構造物の下側に位置する構成とした構造物の目地の構造。
【請求項４】
ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面又は他の構造物の逆略Ｖ字形の防草傾斜面を二重或いは複数に構成し、逆略Ｗ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を二重或いは複数に構成し、略Ｗ字形の連結凹部とし、
この略Ｗ字形の湾曲連結部と略Ｗ字形の連結凹部は、前記ブロックの略Ｗ字形の防草傾斜面に、舗装面を舗装、又は他の構造物を設置した際に、この舗装又は他の構造物の下側に位置する構成とした構造物の目地の構造。
【請求項５】
請求項１〜請求項４に記載の構造物の目地の構造であって、この舗装面は、コンクリート、アスファルトコンクリート等の歩道、車道等の舗装構造物、又はコンクリート、アスファルトコンクリート等の建物、躯体、塀等の構造物で、他方の構造物がコンクリート、アスファルトコンクリート等の舗装面でなる歩道、車道等の舗装構造物でなる構造物の目地の構造。
【手続補正２】
【補正対象書類名】明細書
【補正対象項目名】全文
【補正方法】変更
【補正の内容】
【発明の詳細な説明】
【技術分野】
【０００１】
本発明は防草等を意図した各種の構造物（構築物、舗装面、護岸舗装面、法面舗装面又は護岸ブロック、法面ブロック等の各種のブロック「コンクリート二次製品」と道路舗装構造と舗装面等、又は前記これら同士等）の目地の構造に関する。
【背景技術】
【０００２】
従来、例えば、道路における車道と歩道、又は車道と中央分離帯等において、その境界を仕切るコンクリート製の境界ブロック、例えば、縁石（一方の構造物とする）が設置されている。このような道路の施工は、養生、乾燥されたコンクリート製の境界ブロックの側面（壁面）に、現場打ち（打設）のコンクリートやアスファルトコンクリート等の流動体の舗装構造物（他方の構造物とする）を打設した後に乾燥硬化させて車道等を形成することから、経年により上記のコンクリートやアスファルトコンクリート等の舗装構造物が乾燥収縮及び／又は接着剤の経年変化等によって、このコンクリート製の境界ブロックと舗装構造物との境目に隙間が発生する。即ち、境界ブロックの壁面と舗装構造物との間に縦方向（鉛直方向）の段差隙間（段差目地）が発生する。
【０００３】
また同じような状況は、コンクリートの建物、駆体等（ブロックの一種とみなす）と、隣接する打設コンクリート路面、同床面等の舗装構造物（他方の構造物とする）においても、同様に縦方向の目地（面一目地）が発生する。
【０００４】
さらに同じ状況は、側溝、水路、フェンスブロック（ガードウォール）等のコンクリート構造物（ブロック）と、隣接する打設コンクリート路面、同床面等（他方の構造物とする）においても同様な状況となり、縦方向に目地（段差目地）が発生する。
【０００５】
この目地が垂直方向（鉛直方向）に発生した場合には、この垂直目地（鉛直目地）内に在留及び／又は飛来する種子、又はこの目地内に雨水等で流れ込む種子がある状況では、光及び／又は水分が確保されることで、発芽し、光合成を基にしてすくすくと生育し、この目地外に成長することが判明している。このように雑草の繁殖を許すことは、草刈を要することによる各種の問題の発生と、雑草の影響による見通し悪化等の交通事故の発生の要因となることが懸念されている。従って、主として平坦地に設置されるブロックを対象とする雑草の繁殖を防止する（防草）対策が重要である。
【０００６】
そして、また河川、土手、溜池等の法面に設置される傾斜地に対するブロック同士においても、前述のような目地の状況は発生する。殊に、このコンクリート同士をモルタル等の流動体で連繋する場合、下地としてモルタル及び／又はグリ石等を施工後に設置する場合等においては、前述のような状況になり易く、この種の防草対策が重要になる。そして、この法面における草刈、その後の処理の危険性と、作業の困難性は極めて大変である故、一層の配慮が要求される。
【０００７】
このような構造物の目地の構造として、従来、次のような文献（１）〜（４）の発明が知られている。以下、その概要を説明する。
【０００８】
文献（１）として、特開平８−１１３９０６号の「コンクリートブロックとコンクリート壁およびコンクリート壁の製造のための部材」がある。この発明は、コンクリートブロックの略垂直な前面及び背面の下部に切り欠き棚を形成し、この切り欠き棚で防草を図る構成である。
【０００９】
また文献（２）として、特開平１０−８２０１２号の「雑草防止型歩車道境界ブロック」がある。この発明は、歩車道境界ブロックの歩道側の側面上端角部に切り込みを設け、歩道のアスファルト舗装との接合部の隙間の発生を回避し、この接合部からの雑草の発生を防止することを意図する。
【００１０】
さらに文献（３）として、特開２００４−１６９５４４の「防草等を意図した構造物の構造と構造物と構造物の防草等の工法」がある。この発明は、構造物等に形成された目地が存在しても、防草用凹部の形状が、雑草の根の屈地性及び／又は雑草の芽の屈光性を阻害する機能があり、この機能を利用した画期的な防草等を意図した構造物の構造、構造物と構造物の防草等の工法を提供する。
【００１１】
【特許文献１】特開平８−１１３９０６号
【特許文献２】特開平１０−８２０１２号
【特許文献３】特開２００４−１６９５４４
【発明の開示】
【発明が解決しようとする課題】
【００１２】
文献（１）の発明は、単純な切欠き棚による防草では、雑草の屈光性及び／又は屈地性を阻害するまでの角度はなく、望むような防草効果は期待できない。そして、この発明は、傾斜面の横の目地となる部分に隙間ができると、防草効果を図るためには、傾斜面に対し物理的に遮断する手段が必要となり、その手段が、明細書の[００２２]に記載されている。棚面をコンクリートで覆う手段として転圧をすることから、経年的に、この棚面と、コンクリート面との間には隙間が形成されるので、防草効果が期待できない。
【００１３】
また文献（２）の発明は、単純な接合部の隙間の発生の回避による防草では、雑草の屈光性及び／又は屈地性を阻害するまでには到らず、望むような防草効果は期待できない。また雑草は、僅かな隙間でも発芽及び／又は成長することから、これによる防草効果も単に願望の域に留まるものと思料される。
【００１４】
文献（３）の発明は、防草用凹部の形状が、雑草の根の屈地性及び／又は雑草の芽の屈光性を阻害する機能があり、この機能を利用した画期的な防草効果が図れることは確かであり、有益な発明である。しかし、この発明は、鉛直面と防草用凹部とが、湾曲連結部及び／又は連結凹部を備えない構造であるので、欠損の虞があること、又は成形時の型抜きに手間と熟練とを有すること等の改良点がある。そして、また、この防草用凹部に、コンクリート舗装の流動はよいが、アスファルト舗装を図る際に、転圧を要すること、又は押込み手段・施工を要すること等の問題的を、一部に含んでいる。
【００１５】
上記に鑑み本発明は、［１］  目地の境界部に、湾曲連結部及び／又は連結凹部を備えた構造とすることで、ブロック及び／又は舗装面の欠損を回避すること、[２]  目地の境界部に、湾曲連結部及び／又は連結凹部を備えた構造を採用して、雑草の屈光性及び／又は屈地性を阻害し、防草効果が図れる目地の構造を提供すること、［３］  またブロック成形の容易化、簡略化等を介して経済性の向上と、工期の短縮化等の如く、現実に即した防草効果が発揮できる目地用のブロックを提供すること、［４］  またブロックに、湾曲連結部及び／又は連結凹部を備えた構造を採用して、このブロックの運搬時、取扱い時の容易化、簡略化等を図ること、[５]  前記の如し、ブロックに設けた下向き傾斜面と、この下向き傾斜面に連設して設けた上向き傾斜面で構成した略Ｖ字形の防草傾斜面と、この略Ｖ字形の防草傾斜面に充填される逆略Ｖ字形の防草傾斜面とで構成される構造物の目地であり、この下向き傾斜面及び／又は上向き傾斜面に経年で隙間が生じても、自然の摂理で防草を図ること、  等を意図する。
【課題を解決するための手段】
【００１６】
請求項１・２の発明は、前述の[１]〜[５]の目的を達成することを意図する。
【００１７】
請求項１は、ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とし、
この湾曲連結部は、前記ブロックの略Ｖ字形の防草傾斜面に、舗装面を舗装、又は他の構造物を設置した際に、この舗装又は他の構造物の下側に位置する構成とした構造物の目地の構造である。
【００１８】
請求項２は、ブロックに設けた下向き傾斜面と、この下向き傾斜面に連設して設けた上向き傾斜面で構成した略Ｖ字形の防草傾斜面と、この略Ｖ字形の防草傾斜面に充填された舗装又は他の構造物の逆略Ｖ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を連結凹部とし、
この湾曲連結部と連結凹部は、前記ブロックの略Ｖ字形の防草傾斜面に、舗装面を舗装、又は他の構造物を設置した際に、この舗装又は他の構造物の下側に位置する構成とした構造物の目地の構造である。
【００１９】
請求項３・４の発明は、前述の[１]〜[５]の目的を達成することと、[７]  ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装逆略Ｖ字形の防草傾斜面を二重或いは複数に構成し、逆略Ｗ字形の防草傾斜面とで構成される構造物の目地を提供し、防草効果を略１００％達成することを意図する。
【００２０】
請求項３は、ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面又は他の構造物の逆略Ｖ字形の防草傾斜面を二重或いは複数に構成し、逆略Ｗ字形の防草傾斜面とで構成される構造物の目地であって、
このブロックの下向き傾斜面と、側面鉛直面との連結箇所を湾曲連結部とし、
この湾曲連結部は、前記ブロックの略Ｗ字形の防草傾斜面に、舗装面を舗装、又は他の構造物を設置した際に、この舗装又は他の構造物の下側に位置する構成とした構造物の目地の構造である。
【００２１】
請求項４は、ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装面の又は他の構造物の逆略Ｖ字形の防草傾斜面を二重或いは複数に構成し、逆略Ｗ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を二重或いは複数に構成し、略Ｗ字形の連結凹部とし、
この略Ｗ字形の湾曲連結部と略Ｗ字形の連結凹部は、前記ブロックの略Ｗ字形の防草傾斜面に、舗装面を舗装、又は他の構造物を設置した際に、この舗装又は他の構造物の下側に位置する構成とした構造物の目地の構造である。
【００２２】
請求項５の発明は、請求項１〜請求項４の目的を達成すること、この目的を達成するに最適な舗装面の構造を提供することを意図する。
【００２３】
請求項５は、請求項１〜請求項４に記載の構造物の目地の構造であって、この舗装面は、コンクリート、アスファルトコンクリート等の歩道、車道等の舗装構造物、又はコンクリート、アスファルトコンクリート等の建物、躯体、塀等の構造物で、他方の構造物がコンクリート、アスファルトコンクリート等の舗装面でなる歩道、車道等の舗装構造物でなる構造物の目地の構造
【発明の効果】
【００２４】
請求項１の発明は、ブロックに設けた下向き傾斜面と、下向き傾斜面に連設して設けた上向き傾斜面で構成した略Ｖ字形の防草傾斜面と、略Ｖ字形の防草傾斜面に充填された舗装又は他の構造物の逆略Ｖ字形の防草傾斜面とで構成される構造物の目地であって、
ブロックの下向き傾斜面と、側面鉛直面との連結箇所を湾曲連結部とし、
湾曲連結部は、ブロックの略Ｖ字形の防草傾斜面に、舗装面を舗装、又は他の構造物を設置した際に、舗装又は他の構造物の下側に位置する構成とした構造物の目地の構造である。
【００２５】
請求項２の発明は、ブロックに設けた下向き傾斜面と、下向き傾斜面に連設して設けた上向き傾斜面で構成した略Ｖ字形の防草傾斜面と、略Ｖ字形の防草傾斜面に充填された舗装又は他の構造物の逆略Ｖ字形の防草傾斜面とで構成される構造物の目地であって、
ブロックの下向き傾斜面と、側面鉛直面との連結箇所を湾曲連結部とするとともに、下向き傾斜面と、上向き傾斜面との連結箇所を連結凹部とし、
湾曲連結部と連結凹部は、ブロックの略Ｖ字形の防草傾斜面に、舗装面を舗装、又は他の構造物を設置した際に、舗装又は他の構造物の下側に位置する構成とした構造物の目地の構造である。
【００２６】
従って、請求項１・２は、下記の[１]〜[５]の特徴を有する。
【００２７】
［１］  目地の境界部に、湾曲連結部及び／又は連結凹部を備えた構造とすることで、ブロック及び／又は舗装面の欠損の回避が図れること、[２]  目地の境界部に、湾曲連結部及び／又は連結凹部を備えた構造を採用して、雑草の屈光性及び／又は屈地性を阻害し、防草効果が図れる目地の構造を提供できること、［３］  またブロック成形の容易化、簡略化等を介して経済性の向上と、工期の短縮化等の如く、現実に即した防草効果が発揮できる目地用のブロックを提供できること、［４］  またブロックに、湾曲連結部及び／又は連結凹部を備えた構造を採用して、このブロックの運搬時、取扱い時の容易化、簡略化等が図れること、[５]  前記の如し、ブロックに設けた下向き傾斜面と、この下向き傾斜面に連設して設けた上向き傾斜面で構成した略Ｖ字形の防草傾斜面と、この略Ｖ字形の防草傾斜面に充填される逆略Ｖ字形の防草傾斜面とで構成される構造物の目地であり、この下向き傾斜面及び／又は上向き傾斜面に経年で隙間が生じても、自然の摂理で防草が図れること、等である。
【００２８】
請求項３の発明は、ブロックに設けた下向き傾斜面と、下向き傾斜面に連設して設けた上向き傾斜面で構成した略Ｖ字形の防草傾斜面を二重或いは複数に構成し、略Ｗ字形の防草傾斜面と、略Ｗ字形の防草傾斜面に充填される舗装面又は他の構造物の逆略Ｖ字形の防草傾斜面を二重或いは複数に構成し、逆略Ｗ字形の防草傾斜面とで構成される構造物の目地であって、
ブロックの下向き傾斜面と、側面鉛直面との連結箇所を湾曲連結部とし、
湾曲連結部は、ブロックの略Ｗ字形の防草傾斜面に、舗装面を舗装、又は他の構造物を設置した際に、舗装又は他の構造物の下側に位置する構成とした構造物の目地の構造である。
【００２９】
請求項４の発明は、ブロックに設けた下向き傾斜面と、下向き傾斜面に連設して設けた上向き傾斜面で構成した略Ｖ字形の防草傾斜面を二重或いは複数に構成し、略Ｗ字形の防草傾斜面と、略Ｗ字形の防草傾斜面に充填される舗装面又は他の構造物の逆略Ｖ字形の防草傾斜面を二重或いは複数に構成し、逆略Ｗ字形の防草傾斜面とで構成される構造物の目地であって、
このブロックの下向き傾斜面と、側面鉛直面との連結箇所を湾曲連結部とするとともに、この下向き傾斜面と、上向き傾斜面との連結箇所を二重或いは複数に構成し、略Ｗ字形の連結凹部とし、
略Ｗ字形の湾曲連結部と略Ｗ字形の連結凹部は、ブロックの略Ｗ字形の防草傾斜面に、舗装面を舗装、又は他の構造物を設置した際に、舗装又は他の構造物の下側に位置する構成とした構造物の目地の構造である。
【００３０】
従って、請求項３・４は、前述の[１]〜[５]の目的を達成できることと、[７]  ブロックに設けた下向き傾斜面と、この下向き傾斜面に連設して設けた上向き傾斜面で構成した略Ｖ字形の防草傾斜面を二重或いは複数に構成し、略Ｗ字形の防草傾斜面と、この略Ｗ字形の防草傾斜面に充填される舗装逆略Ｖ字形の防草傾斜面を二重或いは複数に構成し、逆略Ｗ字形の防草傾斜面とで構成される構造物の目地を提供し、防草効果を略１００％達成できること、等の特徴を有する。
【００３１】
請求項５の発明は、請求項１〜請求項４に記載の構造物の目地の構造であって、舗装面は、コンクリート、アスファルトコンクリート等の歩道、車道等の舗装構造物、又はコンクリート、アスファルトコンクリート等の建物、躯体、塀等の構造物で、他方の構造物がコンクリート、アスファルトコンクリート等の舗装面でなる歩道、車道等の舗装構造物（構築物、又は建造物等の構造物）でなる構造物の目地の構造である。
【００３２】
従って、請求項５は、請求項１〜請求項４の目的を達成できること、この目的を達成するに最適な舗装面の構造を提供できること等の特徴を有する。
【発明を実施するための最良の形態】
【００３３】
本発明の好ましい実施の形態を図面に基づいて説明する。
【００３４】
図面の説明をする。
【００３５】
第一実施例を示した図１−１は境界ブロック等のブロックとコンクリート及び／又はアスファルトコンクリート等の舗装面（歩道、車道又は中央分離帯等であり、舗装面とする）との関係による目地の一例を示した断面図、図１−１−１は図１の上縁片側の要部を拡大した断面図、図１−１−２は図１の下縁片側の要部を拡大した断面図、図１−１−３は図１の経年変化で下向き経年隙間が形成された状態を示した断面図、またこの第一実施例の他の第一実施例を示した図１−２は図１−１の鉛直面を傾斜面とした断面図、さらにこの第一実施例の別の第一実施例を示した図１−３は図１−１の鉛直面を傾斜面とした断面図である。
【００３６】
第二実施例を示した図２は街渠ブロック、エプロンブロック等のブロックと舗装面との関係による目地の一例を示した断面図、図２−１は図２の経年変化で下向き経年隙間が形成された状態を示した、上縁片側の要部を拡大した断面図、図２−２は図２の経年変化で下向き経年隙間が形成された状態を示した下縁片側の要部を拡大した断面図である。
【００３７】
またこの第二実施例の他の第二実施例を示した図３は図２の他の例を示した断面図（下向き傾斜面と、上向き傾斜面との連結箇所を二重に構成した例である。この二重は複数重の場合もあり得る）、図３−１は図３の経年変化で下向き経年隙間が形成された状態を示した、上縁片側の要部を拡大した断面図である。
【００３８】
第三実施例を示した図４−１は略Ｕ字型ブロック（側溝）等のブロックと舗装面との関係による目地の一例を示した断面図、図４−１−１は図４−１の経年変化で下向き経年隙間が形成された状態を示した、上縁片側の要部を拡大した断面図、図４−２はＵ字型ブロック（水路）等のブロックと舗装面との関係による目地の一例を示した断面図である。
【００３９】
第四実施例を示した図５はカーブ形状の境界ブロック等のブロックと舗装面との関係による目地の一例を示した断面図である。
【００４０】
第五実施例を示した図６は舗装面同士の関係による目地の一例を示した断面図、図６−１は図６の経年変化で下向き経年隙間が形成された状態を示した、上縁片側の要部を拡大した断面図である。
【００４１】
第六実施例を示した図７は境界ブロック等のブロックと舗装面との関係による目地の一例を示した断面図、図７−１は図７の経年変化で下向き経年隙間が形成された状態を示した、上縁片側の要部を拡大した断面図、図７−２は図７の経年変化で下向き経年隙間が形成された状態を示した下縁片側の要部を拡大した断面図である。
【００４２】
第七実施例を示した図８は躯体と舗装面との関係による目地の一例を示した断面図、図８−１は図８の経年変化で下向き経年隙間が形成された状態を示した、上縁片側の要部を拡大した断面図である。
【００４３】
第八実施例を示した図９は境界ブロック等のブロックと舗装面との関係による目地の一例を示した断面図である。
【００４４】
第九実施例を示した図１０−１は暗渠ブロックとコンクリート及び／又はアスファルトコンクリート等の舗装面との関係による目地の一例を示した断面図、図１０−１−１は図１０−１の経年変化で下向き経年隙間が形成された状態を示した、要部を拡大した断面図、図１０−１−２は図１０−１の経年変化で下向き経年隙間が形成された状態を示した要部（図１０−１−２と反対側）を拡大した断面図、また第十実施例を示した図１０−２は暗渠ブロックとコンクリート及び／又はアスファルトコンクリート等の舗装面との関係による目地の他の一例を示した断面図である。
【００４５】
第十一実施例を示した図１１はガードレール用、標識用、その他の基礎等の立設物用のコンクリートブロック構造物における目地の関係を示した斜視図である。
【００４６】
先ず、図１−１に示した第一実施例を説明すると、境界ブロック等のブロック１（コンクリート二次製品の一例である）とコンクリート及び／又はアスファルトコンクリート等の舗装面２との関係による目地の一例を示した断面図において、１は工場において成形、養生、硬化されたプレキャストコンクリート製、アスファルトコンクリート製、或いは樹脂入りコンクリート製等による境界ブロック等のブロックで、このブロック１（一方の構造物となる）の上縁片側１ａと舗装面２（他方の構造物）で形成される目地３には、所定角度の下向き傾斜面５と、この下向き傾斜面５に連設して上向き傾斜面４で略Ｖ字形の防草傾斜面１３を形成する。そして、この下向き傾斜面５と上縁片側１ａの鉛直面６との連結箇所を湾曲連結部９とする。この略Ｖ字形の防草傾斜面１３は、充填された舗装（他方の構造物）で形成される逆略Ｖ字形の防草傾斜面１５で隠蔽される。
【００４７】
また下向き傾斜面５と上向き傾斜面４との連結箇所を連結凹部１０（湾曲連結凹部か、又は鋭角連結凹部とする）とする。さらにブロック１の表面１ｃと上向き傾斜面４との連結箇所を湾曲表面連結部１２とする。尚、連結凹部１０を湾曲連結凹部とすれば、欠損に有効であり、又は連結凹部１０を鋭角連結凹部とすれば、防草効果が期待できる。また前記湾曲表面連結部１２は、アスファルト等の流動体の充填材に有効である（他の各実施例も同じ）。さらにこの湾曲表面連結部１２を鋭角表面連結部（図示せず）とし、コンクリートの充填材に対応することが望ましい（他の各実施例も同じ）。
【００４８】
従って、このブロック１の略Ｖ字形の防草傾斜面１３は、全ての連結部（湾曲連結部９、連結凹部１０、又は湾曲表面連結部１２）を曲面形状とすることで、当該ブロック１の欠損を回避できること、取扱い・管理の容易化が図れること、又は舗装面２の亀裂防止に有効であること等の特徴がある。
【００４９】
また前述した鉛直面６は、この鉛直面６の上端に形成された湾曲連結部９を介して下向き傾斜面５に連設され、この下向き傾斜面５は連結凹部１０を介して上向き傾斜面４に連設され、さらにこの上向き傾斜面４の上端に形成された湾曲表面連結部１２を経由してブロック１の表面１ｃに至る構成である。尚、この鉛直面６は、略鉛直面を含む構造である（以下、同じであり省略する）。そして、この所定角度の下向き傾斜面５を利用して雑草の根の屈地性及び／又は雑草の芽の屈光性を阻害できる下向きの経年による間隙１４（下向き経年隙間）が、略Ｖ字形の防草傾斜面１３と逆略Ｖ字形の防草傾斜面１５との間に形成されても防草効果が図れる。この下向き経年隙間１４は、ブロック１と舗装面２との伸縮差に起因するものであり、通常は二〜三年を経過することで発生する。しかし、本発明では、前述の如く、下向き傾斜面５を有する限り防草効果が図れる構造である。
【００５０】
またこのブロック１の下縁片側１ｂの下縁１ｂ−１には、舗装面２とで形成される目地３には、鉛直面６の下縁片側１ｂを欠截して設けた略倒Ｌ字形となる所定角度の下向き傾斜面５に連設して鉛直面６ａ又は傾斜面（図示せず。以下同じ）を設ける。この例においても、湾曲連結部９と、連結凹部１０が形成される。そして、この例における構成及び／又は効果は、前記上縁片側１ａに準ずる。
【００５１】
そして、図１−１−３は、下向き経年隙間１４の理解を容易にするために、幾分、誇張して示した断面図である。
【００５２】
図１−２に示した他の第一実施例は、前記図１−１の第一実施例を変更した構成である。この他の第一実施例を説明すると、ブロック１の下縁片側１ｂに、傾斜目地３aを形成した構成であり、この下縁片側１ｂの鉛直面６を少し傾斜させて傾斜面６ａ−１とする。そして、この鉛直面６が傾斜面６ａ−１となることで、傾斜目地３ａに対する転圧がかかりやすくなり、例えば、この傾斜目地３ａに対する防草効果に寄与できると考えられる。その他の構成、効果は第一実施例に準ずる。
【００５３】
さらに図１−３の別の第一実施例は、前記他の第一実施例の舗装面２の深さを変更した例であり、その他の構成及び／又は効果は、この他の第一実施例に準ずる。
【００５４】
次に、図２に示した第二実施例を説明すると、２０は工場において成形、養生、硬化されたプレキャストコンクリート製、アスファルトコンクリート製、或いは樹脂入りコンクリート製等による街渠ブロック、エプロンブロック等のブロックで、このブロック２０（一方の構造物となる）の上縁片側２０ａと舗装面２２（他方の構造物）で形成される目地２３には、所定角度の下向き傾斜面２５と、この下向き傾斜面２５に連設して上向き傾斜面２４で略Ｖ字形の防草傾斜面３３を形成する。そして、この下向き傾斜面２５と上縁片側２０ａの鉛直面２６との連結箇所を湾曲連結部２９とする。この略Ｖ字形の防草傾斜面３３は、充填された舗装（他方の構造物）で形成される逆略Ｖ字形の防草傾斜面３８で隠蔽される。
【００５５】
また下向き傾斜面２５と上向き傾斜面２４との連結箇所を連結凹部３０とする。さらにブロック２０の表面２０ｃと上向き傾斜面２４との連結箇所を湾曲表面連結部３２とする。
【００５６】
従って、このブロック２０の略Ｖ字形の防草傾斜面３３は、全ての連結部（湾曲連結部２９、連結凹部３０、又は湾曲表面連結部３２）を曲面形状とすることで、当該ブロック２０の欠損を回避できること、取扱い・管理の容易化が図れること、又は舗装面２２の亀裂防止に有効であること等の特徴がある。
【００５７】
また前述した鉛直面２６は、この鉛直面２６の上端に形成された湾曲連結部２９を介して下向き傾斜面２５に連設され、この下向き傾斜面２５は連結凹部３０を介して上向き傾斜面４に連設され、さらにこの上向き傾斜面２４の上端に形成された湾曲表面連結部３２を経由してブロック２０の表面２０ｃに至る構成である。
【００５８】
そして、このブロック２０の下縁片側２０ｂと舗装面２２とで形成される目地２３には、鉛直面２６と凹形状の略７０°の上向き傾斜面２４及び／又はこの下向き傾斜面２５に連設して上向き傾斜面２４と鉛直面２６ａを設ける。そして、この所定角度の下向き傾斜面２５を利用して雑草の根の屈地性及び／又は雑草の芽の屈光性を阻害できる下向きの経年による間隙３４（下向き経年隙間）又は上下向き経年隙間３４ａが、略Ｖ字形の防草傾斜面３３と逆略Ｖ字形の防草傾斜面３８との間に形成されても防草効果が図れる。尚、この例に於いても、前述した第一実施例の下縁片側１ｂの構造を採用することは可能である。図中３５は上向き傾斜面２４及び／又は下向き傾斜面２５で形成される凹部を示す。またこの下向き傾斜面２５は湾曲連結凹部３６を介して上向き傾斜面２４に連設される。この湾曲連結凹部３６は、前記連結凹部３０に対して大きい湾曲角度を備えており、舗装面２２を構築する際に、コンクリートの自然な流動を図ること、またこの流動の際に、転圧を要せず構築可能とすること等を意図する。
【００５９】
また、図３に示した他の第二実施例を説明すると、基本的な構成は、前記第二実施例に準ずるが、この例では、ブロック２０の上縁片側２０ａと舗装面２２で形成される目地２３には、所定角度の下向き傾斜面２５と、この下向き傾斜面２５に連設して上向き傾斜面２４で略Ｖ字形の防草傾斜面３３を形成する。そして、この下向き傾斜面２５と上向き傾斜面２４で形成した略Ｖ字形の防草傾斜面３３を二重に構成し、略Ｗ形の防草傾斜面３７を形成する。またこの下向き傾斜面２５と上縁片側２０ａの鉛直面２６との連結箇所を湾曲連結部２９とする。そして、この図３は下向き傾斜面２４と、上向き傾斜面２５との連結箇所を二重に構成した例であるが、この二重は複数重の場合もあり得る。そして、複数重では、防草効果があることは明らかである。
【００６０】
また下向き傾斜面２５と上向き傾斜面２４との連結箇所を連結凹部３０とする。さらにブロック２０の表面２０ｃと上向き傾斜面２４との連結箇所を、それぞれ湾曲表面連結部３２とする。
【００６１】
従って、このブロック２０の略Ｗ字形の防草傾斜面３７は、全ての連結部（湾曲連結部２９、連結凹部３０、又は湾曲表面連結部３２）を曲面形状とすることで、当該ブロック２０の欠損を回避できること、取扱い・管理の容易化が図れること、又は舗装面２２の亀裂防止に有効であること等の特徴がある。尚、図中３９は逆略Ｗ字形の防草傾斜面で、この逆略Ｗ字形の防草傾斜面３９は、略Ｗ字形の防草傾斜面３７に充填された舗装の下面を示す。
【００６２】
また前述した鉛直面２６は、この鉛直面２６の上端に形成された湾曲連結部２９を介して下向き傾斜面２５に連設され、この下向き傾斜面２５は連結凹部３０を介して上向き傾斜面４に連設され、さらにこの上向き傾斜面２４の上端に形成された湾曲表面連結部３２を経由してブロック２０の表面２０ｃに至る構成である。
【００６３】
そして、この他の第二実施例で説明した略Ｗ字形の防草傾斜面３７は、前述の第一、第二実施例と、後述する第三〜第九実施例において採用可能であることは勿論である。
【００６４】
また、このブロック２０の下縁片側２０ｂと舗装面２２とで形成される目地２３には、鉛直面２６を設ける。そして、この鉛直面２６には、この鉛直面２６に隣接して打設される舗装面２２に対する転圧力を利用して幾分の雑草の根及び／又は芽の生長を阻害することも可能である。そして、この例においても、前述した各実施例に準じた構成を採用する。
【００６５】
図４−１に示した第三実施例を説明すると、４０は工場において成形、養生、硬化された水路用の略Ｕ字型ブロック（側溝を含む。）で、このブロック４０（一方の構造物となる）の左右の上縁片側４０ａ（一方側で説明する）と各舗装面４２（他方の構造物）で形成される各目地４３（一方側で説明する）には、所定角度の下向き傾斜面４５と、この下向き傾斜面４５に連設して上向き傾斜面４４で略Ｖ字形の防草傾斜面５３を形成する。そして、この下向き傾斜面４５と上縁片側４０ａのテーパ形状の鉛直面４６との連結箇所を湾曲連結部４９とする。
【００６６】
また下向き傾斜面４５と上向き傾斜面４４との連結箇所を連結凹部５０とする。さらにブロック４０の表面４０ｃと上向き傾斜面４４との連結箇所を湾曲表面連結部５２とする。
【００６７】
従って、このブロック４０の略Ｖ字形の防草傾斜面５３は、全ての連結部（湾曲連結部４９、連結凹部５０、又は湾曲表面連結部５２）を曲面形状とすることで、当該ブロック４０の欠損を回避できること、取扱い・管理の容易化が図れること、又は舗装面４２の亀裂防止に有効であること等の特徴がある。この略Ｖ字形の防草傾斜面５３は、充填された舗装（他方の構造物）で形成される逆略Ｖ字形の防草傾斜面５５で隠蔽される。
【００６８】
尚、鉛直面４６は、この鉛直面４６の上端に形成された湾曲連結部４９を介して下向き傾斜面４５に連設され、この下向き傾斜面４５は連結凹部５０を介して上向き傾斜面４４に連設される。そして、この上向き傾斜面４４の上端に形成される湾曲表面連結部５２を経由してブロック４０の表面４０ｃに至る構成である。そして、この所定角度の下向き傾斜面４５を利用して雑草の根の屈地性及び／又は雑草の芽の屈光性を阻害できる下向きの経年による間隙５４（下向き経年隙間）が、略Ｖ字形の防草傾斜面５３と逆略Ｖ字形の防草傾斜面５５との間に形成されても防草効果が図れる。この下向き経年隙間５４は、ブロック４０と舗装面４２との伸縮差に起因するものであり、通常は二〜三年を経過することで発生する。しかし、本発明では、前述の如く、下向き傾斜面４５を有する限り防草効果が図れる構造である。
【００６９】
また、図４−１−１は、図４−１のブロック４０の上縁片側４０ａを拡大して示した断面図である。
【００７０】
図４−２は水路用のＵ字型ブロック等のブロック４０で、このブロック４０と舗装面４２との関係による目地４３の一例を示した断面図であり、この例は図４−１等の略Ｕ字型ブロックの構造に準ずる。但し、上向き傾斜面４４及び／又は下向き傾斜面４５に連設して鉛直面４６を設ける構成とする。その他の構成は、前述の図４−１等の略Ｕ字型ブロックの構造に準ずる。
【００７１】
次に図５に示した第四実施例を説明すると、第一実施例のブロック１と舗装面２に準ずる構造であるが、その相違点は、下記の構成となる。このブロック６０がカーブ形状であること、また下縁片側６０ｂが鉛直形状であること等が挙げられる。尚、略Ｖ字形の防草傾斜面７３は、充填された舗装（他方の構造物）で形成される逆略Ｖ字形の防草傾斜面７５で隠蔽される。
【００７２】
図６に示した第五実施例を説明すると、舗装面８２、８２は現場において成形、養生、硬化されたプレキャストコンクリート製、アスファルトコンクリート製、或いは樹脂入りコンクリート製等であり、この舗装面８２（一方の構造物となる）の上縁片側８２ａと舗装面８２（他方の構造物）で形成される目地８３には、所定角度の下向き傾斜面８５と、この下向き傾斜面８５に連設して上向き傾斜面８４で略Ｖ字形の防草傾斜面９３を形成する。そして、この下向き傾斜面８５と上縁片側８２ａの鉛直面８６との連結箇所を湾曲連結部８９とする。この略Ｖ字形の防草傾斜面９３は、充填された舗装（他方の構造物）で形成される逆略Ｖ字形の防草傾斜面９５で隠蔽される。
【００７３】
また下向き傾斜面８５と上向き傾斜面８４との連結箇所を連結凹部９０とする。さらに舗装面８２の表面８２ｃと上向き傾斜面８４との連結箇所を湾曲表面連結部９２とする。
【００７４】
従って、この舗装面８２の略Ｖ字形の防草傾斜面９３は、全ての連結部（湾曲連結部８９、連結凹部９０、又は湾曲表面連結部９２）を曲面形状とすることで、当該舗装面８２の欠損を回避できること、取扱い・管理の容易化が図れること、又は舗装面８２の亀裂防止に有効であること等の特徴がある。
【００７５】
また前述した鉛直面８６は、この鉛直面８６の上端に形成された湾曲連結部８９を介して下向き傾斜面８５に連設され、この下向き傾斜面８５は連結凹部９０を介して上向き傾斜面８４に連設され、さらにこの上向き傾斜面８４の上端に形成された湾曲表面連結部９２を経由して舗装面８２の表面８２ｃに至る構成である。そして、この所定角度の下向き傾斜面８５を利用して雑草の根の屈地性及び／又は雑草の芽の屈光性を阻害できる下向きの経年による間隙９４（下向き経年隙間）が、略Ｖ字形の防草傾斜面９３と逆略Ｖ字形の防草傾斜面９５との間に形成されても防草効果が図れる。この下向き経年隙間９４は、舗装面８２と舗装面８２との伸縮差に起因するものであり、通常は二〜三年を経過することで発生する。しかし、本発明では、前述の如く、下向き傾斜面８５を有する限り防草効果が図れる構造である。
【００７６】
尚、舗装面８２（他の構造物）は、図１−１の下縁片側１ｂと同様な構成のため、説明を省略する。
【００７７】
図７に示した第六実施例を説明すると、１００は工場において成形、養生、硬化されたプレキャストコンクリート製、アスファルトコンクリート製、或いは樹脂入りコンクリート製等による境界ブロック等のブロックで、このブロック１００（一方の構造物となる）の上縁片側１００ａと舗装面１０２（他方の構造物）で形成される目地１０３には、所定角度の下向き傾斜面１０５と、この下向き傾斜面１０５に連設して上向き傾斜面１０４で略Ｖ字形の防草傾斜面１１３を形成する。そして、この下向き傾斜面１０５と上縁片側１００ａの鉛直面１０６との連結箇所を湾曲連結部１０９とする。この略Ｖ字形の防草傾斜面１１３は、充填された舗装（他方の構造物）で形成される逆略Ｖ字形の防草傾斜面１１５で隠蔽される。
【００７８】
また下向き傾斜面１０５と上向き傾斜面１０４との連結箇所を連結凹部１１０とする。  
【００７９】
従って、このブロック１００の略Ｖ字形の防草傾斜面１１３は、全ての連結部（湾曲連結部１０９、連結凹部１１０）を曲面形状とすることで、当該ブロック１００の欠損を回避できること、取扱い・管理の容易化が図れること、又は舗装面１０２の亀裂防止に有効であること等の特徴がある。
【００８０】
また前述した鉛直面１０６は、この鉛直面１０６の上端に形成された湾曲連結部８９を介して下向き傾斜面１０５に連設され、この下向き傾斜面１０５は連結凹部１１０を介して上向き傾斜面１０４に連設される。そして、この所定角度の下向き傾斜面１０５を利用して雑草の根の屈地性及び／又は雑草の芽の屈光性を阻害できる下向きの経年による間隙９４（下向き経年隙間）が、略Ｖ字形の防草傾斜面１１３と逆略Ｖ字形の防草傾斜面１１５との間に形成されても防草効果が図れる。この下向き経年隙間１１４は、ブロック１００と舗装面１０２との伸縮差に起因するものであり、通常は二〜三年を経過することで発生する。しかし、本発明では、前述の如く、下向き傾斜面１０５を有する限り防草効果が図れる構造である。
【００８１】
またこのブロック１００の下縁片側１００ｂの下縁１００ｂ−１には、舗装面１０２とで形成される目地１０３には、鉛直面１０６の下縁片側１００ｂを欠截して設けた略倒Ｌ字形となる所定角度の下向き傾斜面１０５に連設して鉛直面１０６ａ又は傾斜面（図示せず。以下同じ）を設ける。この例においても、湾曲連結部１０９と、連結凹部１１０が形成される。そして、この例における構成及び／又は効果は、前記上縁片側１００ａに準ずる。そして、この下縁片側１００ｂの構成は、図１−１と同じである。
【００８２】
また図８に示した第七実施例を説明すると、躯体１２０（基礎、又は柱、建物等を躯体とする）と舗装面１２２との関係による目地の一例を示した断面図において、躯体１２０は現場において成形、養生、硬化されたプレキャストコンクリート製、アスファルトコンクリート製、或いは樹脂入りコンクリート製等であり、この躯体１２０（一方の構造物となる）の上縁片側１２０ａと舗装面１２２（他方の構造物）で形成される目地１２３には、所定角度の下向き傾斜面１２５と、この下向き傾斜面１２５に連設して上向き傾斜面１２４で略Ｖ字形の防草傾斜面１３３を形成する。そして、この下向き傾斜面１２５と上縁片側１２０ａの鉛直面１２６との連結箇所を湾曲連結部１２９とする。この略Ｖ字形の防草傾斜面１３３は、充填された舗装（他方の構造物）で形成される逆略Ｖ字形の防草傾斜面１３５で隠蔽される。
【００８３】
また下向き傾斜面１２５と上向き傾斜面１２４との連結箇所を連結凹部１３０とする。
【００８４】
従って、この躯体１２０の略Ｖ字形の防草傾斜面１３３は、全ての連結部（湾曲連結部１２９、連結凹部１３０）を曲面形状とすることで、当該躯体１２０の欠損を回避できること、取扱い・管理の容易化が図れること、又は舗装面１２２の亀裂防止に有効であること等の特徴がある。
【００８５】
また前述した鉛直面１２６は、この鉛直面１２６の上端に形成された湾曲連結部１２９を介して下向き傾斜面１２５に連設され、この下向き傾斜面１２５は連結凹部１３０を介して上向き傾斜面１２４に連設される。そして、この所定角度の下向き傾斜面１２５を利用して雑草の根の屈地性及び／又は雑草の芽の屈光性を阻害できる下向きの経年による間隙９４（下向き経年隙間）が、略Ｖ字形の防草傾斜面１３３と逆略Ｖ字形の防草傾斜面１３５との間に形成されても防草効果が図れる。この下向き経年隙間１３４は、躯体１２０と舗装面１２２との伸縮差に起因するものであり、通常は二〜三年を経過することで発生する。しかし、本発明では、前述の如く、下向き傾斜面１２５を有する限り防草効果が図れる構造である。
【００８６】
図９に示した第八実施例を説明すると、境界ブロック等のブロック１４０と舗装面１４２との関係による目地１４３の一例を示した断面図において、１４０は工場において成形、養生、硬化されたプレキャストコンクリート製、アスファルトコンクリート製、或いは樹脂入りコンクリート製等による境界ブロック等のブロックで、このブロック１４０（一方の構造物となる）の上縁片側１４０ａと舗装面１４２（他方の構造物）で形成される目地１４３には、所定角度の下向き傾斜面１４５と、この下向き傾斜面１４５に連設して上向き傾斜面１４４で略Ｖ字形の防草傾斜面１５３を形成する。そして、この下向き傾斜面１４５と上縁片側１４０ａの鉛直面１４６との連結箇所を湾曲連結部１４９とする。この略Ｖ字形の防草傾斜面１５３は、充填された舗装（他方の構造物）で形成される逆略Ｖ字形の防草傾斜面１５５で隠蔽される。
【００８７】
また下向き傾斜面１４５と上向き傾斜面１４４との連結箇所を連結凹部１５０とする。さらにブロック１４０の表面１４０ｃと上向き傾斜面１４４との連結箇所を湾曲表面連結部１５２とする。
【００８８】
従って、このブロック１４０の略Ｖ字形の防草傾斜面１５３は、全ての連結部（湾曲連結部１４９、連結凹部１５０、又は湾曲表面連結部１５２）を曲面形状とすることで、当該ブロック１４０の欠損を回避できること、取扱い・管理の容易化が図れること、又は舗装面１４２の亀裂防止に有効であること等の特徴がある。
【００８９】
また前述した鉛直面１４６は、この鉛直面１４６の上端に形成された湾曲連結部１４９を介して下向き傾斜面１４５に連設され、この下向き傾斜面１４５は連結凹部１５０を介して上向き傾斜面１４４に連設される。さらにこの上向き傾斜面１４４の上端に形成された湾曲表面連結部１５２を経由してブロック１４０の表面１４０ｃに至る構成である。そして、この所定角度の下向き傾斜面１４５を利用して雑草の根の屈地性及び／又は雑草の芽の屈光性を阻害できる下向きの経年による間隙９４（下向き経年隙間）が、略Ｖ字形の防草傾斜面１５３と逆略Ｖ字形の防草傾斜面１５５との間に形成されても防草効果が図れる。この下向き経年隙間１５４は、ブロック１４０と舗装面１４２との伸縮差に起因するものであり、通常は二〜三年を経過することで発生する。しかし、本発明では、前述の如く、下向き傾斜面１４５を有する限り防草効果が図れる構造である。
【００９０】
またこのブロック１４０の下縁片側１４０ｂの下縁１４０ｂ−１には、舗装面１４２とで形成される目地１４３には、鉛直面１４６の下縁片側１４０ｂを欠截して設けた略倒Ｌ字形となる所定角度の下向き傾斜面１４５に連設して鉛直面１４６ａ又は傾斜面（図示せず。以下同じ）を設ける。この例においても、湾曲連結部１４９と、連結凹部１５０が形成される。そして、この例における構成及び／又は効果は、前記上縁片側１４０ａに準ずる。
【００９１】
またこの例は中央分離帯を想定しており、前述のブロック１４０が対峙するように設けられ、この中央分離帯が構成（構築）される。
【００９２】
尚、下向き経年隙間１５４は、図１−１−３と同じ構成であるため、図示を省略する。
【００９３】
図１０−１に示した第九実施例を説明すると、暗渠ブロック１６０の一方に、所定角度の下向き傾斜面１６５と、この下向き傾斜面１６５に連設して上向き傾斜面１６４で略Ｖ字形となる防草傾斜面１７３を形成した各例を示しており、この例では、上向き傾斜面１６４及び／又は下向き傾斜面１６５に連設して鉛直面１６６を設ける。この略Ｖ字形の防草傾斜面１７３は、充填された舗装（他方の構造物）で形成される逆略Ｖ字形の防草傾斜面１７５で隠蔽される。
【００９４】
また下向き傾斜面１６５と上向き傾斜面１６４との連結箇所を連結凹部１７０とする。
【００９５】
従って、この暗渠ブロック１６０の略Ｖ字形の防草傾斜面１７３は、全ての連結部（湾曲連結部１６９、連結凹部１７０）を曲面形状とすることで、当該暗渠ブロック１６０の欠損を回避できること、取扱い・管理の容易化が図れること、又は舗装面１０２の亀裂防止に有効であること等の特徴がある。
【００９６】
また前述した鉛直面１６６は、この鉛直面１６６の上端に形成された湾曲連結部１６９を介して下向き傾斜面１６５に連設され、この下向き傾斜面１６５は連結凹部１７０を介して上向き傾斜面１６５に連設される。そして、この所定角度の下向き傾斜面１６５を利用して雑草の根の屈地性及び／又は雑草の芽の屈光性を阻害できる下向きの経年による間隙１７４（下向き経年隙間）が、略Ｖ字形の防草傾斜面１７３と逆略Ｖ字形の防草傾斜面１７５との間に形成されても防草効果が図れる。この下向き経年隙間１７４は、暗渠ブロック１６０と舗装面１６２との伸縮差に起因するものであり、通常は二〜三年を経過することで発生する。しかし、本発明では、前述の如く、下向き傾斜面１６５を有する限り防草効果が図れる構造である。
【００９７】
図１０−２の第十実施例は、前述の第九実施例に順ずる。
【００９８】
以上、主としてブロック等のコンクリート製二次製品と、舗装面等に関して説明したが、舗装面同士の構造物で、例えば、コンクリート及び／又はアスファルト製の各種の目地等、さらに、図１１に示した第十一実施例の如く、ガードレール用のコンクリートブロック構造物１８０（ブロック）における目地１８３等に関しても同様である。尚、略Ｖ字形の防草傾斜面１９３は、充填された舗装（他方の構造物）で形成される逆略Ｖ字形の防草傾斜面１９５で隠蔽される。尚、本発明の特徴は、前述の下向き経年隙間等において、本発明が提唱する所定角度の下向き傾斜面等を備える限り、この下向き経年隙間等に隙間が発生しても防草効果が達成できる点が最大のポイントである。尚、この下向き傾斜面等の角度を変更した構成例では、その長さとの関係も必要により考慮するべきである。また所定角度の下向き傾斜面等においても、気候等の条件及び／又は雑草の種類・繁殖の状態等において、その長さとの関係も必要により考慮するべき場合もあり得る。
【００９９】
そして、前述した所定角度の下向き傾斜面と、この下向き傾斜面に連設して上向き傾斜面で略Ｖ字形の防草傾斜面を形成する場所は、各種の構造物の側壁（側面）に限定されず、上端、又は上面、下面等の何れでも採用可能であり、全ての目地等に対応でき重宝すること、汎用性があること、簡便であること等の実用的な効果を有する。またポール等の建柱のブロック等に於いても、その目地の箇所に本発明を採用することで防草が図れる卓効がある。
【０１００】
尚、図示しないが、本発明の構成は、他の構造物、例えば、ボックスカルバート、電線類用ブロック、その他のブロック等においても可能である。
【図面の簡単な説明】
【０１０１】
【図１−１】図１−１は境界ブロック等のブロックとコンクリート及び／又はアスファルトコンクリート等の舗装面（歩道、車道又は中央分離帯等であり、舗装面とする）との関係による目地の一例を示した断面図
【図１−１−１】図１−１−１は図１の上縁片側の要部を拡大した断面図、
【図１−１−２】図１−１−２は図１の下縁片側の要部を拡大した断面図
【図１−１−３】図１−１−３は図１の経年変化で下向き経年隙間が形成された状態を示した断面図
【図１−２】図１−２は図１−１の鉛直面を傾斜面とした断面図
【図１−３】図１−３は図１−１の鉛直面を傾斜面とした断面図
【図２】図２は街渠ブロック、エプロンブロック等のブロックと舗装面との関係による目地の一例を示した断面図
【図２−１】図２−１は図２の経年変化で下向き経年隙間が形成された状態を示した、上縁片側の要部を拡大した断面図
【図２−２】図２−１は図２の経年変化で下向き経年隙間が形成された状態を示した、下縁片側の要部を拡大した断面図
【図３】図３は図２の他の例を示した断面図
【図３−１】図３−１は図３の経年変化で下向き経年隙間が形成された状態を示した、上縁片側の要部を拡大した断面図
【図４−１】図４−１は略Ｕ字型ブロック（側溝）等のブロックと舗装面との関係による目地の一例を示した断面図
【図４−１−１】図４−１−１は図４−１の経年変化で下向き経年隙間が形成された状態を示した、上縁片側の要部を拡大した断面図
【図４−２】図４−２はＵ字型ブロック（水路）等のブロックと舗装面との関係による目地の一例を示した断面図
【図５】図５はカーブ形状の境界ブロック等のブロックと舗装面との関係による目地の一例を示した断面図
【図６】図６は舗装面同士の関係による目地の一例を示した断面図
【図６−１】図６−１は図６の経年変化で下向き経年隙間が形成された状態を示した、上縁片側の要部を拡大した断面図
【図７】図７は境界ブロック等のブロックと舗装面との関係による目地の一例を示した断面図
【図７−１】図７−１は図７の経年変化で下向き経年隙間が形成された状態を示した、上縁片側の要部を拡大した断面図
【図７−２】図７−２は図７の経年変化で下向き経年隙間が形成された状態を示した下縁片側の要部を拡大した断面図
【図８】図８は躯体と舗装面との関係による目地の一例を示した断面図
【図８−１】図８−１は図８の経年変化で下向き経年隙間が形成された状態を示した、上縁片側の要部を拡大した断面図
【図９】図９は境界ブロック等のブロックと舗装面との関係による目地の一例を示した断面図
【図１０−１】図１０−１は暗渠ブロックとコンクリート及び／又はアスファルトコンクリート等の舗装面との関係による目地の一例を示した断面図
【図１０−１−１】図１０−１−１は図１０−１の経年変化で下向き経年隙間が形成された状態を示した、要部を拡大した断面図
【図１０−１−２】図１０−１−２は図１０−１の経年変化で下向き経年隙間が形成された状態を示した要部（図１０−１−２と反対側）を拡大した断面図
【図１０−２】図１０−２は暗渠ブロックとコンクリート及び／又はアスファルトコンクリート等の舗装面との関係による目地の他の一例を示した断面図
【図１１】図１１はガードレール用、標識用、その他の基礎等の立設物用のコンクリートブロック構造物における目地の関係を示した斜視図
【符号の説明】
【０１０２】
１              ブロック
１ａ            上縁片側
１ｂ            下縁片側
１ｂ−１        下縁
１ｃ            表面
２              舗装面
３              目地
３ａ            傾斜目地
４              上向き傾斜面
５              下向き傾斜面
６              鉛直面
６ａ            鉛直面
６ａ−１        傾斜面
９              湾曲連結部
１０            連結凹部
１２            湾曲表面連結部（鋭角表面連結部）
１３            略Ｖ字形の防草傾斜面
１４            下向き経年隙間
１５            逆略Ｖ字形の防草傾斜面
２０            ブロック
２０ａ          上縁片側
２０ｂ          下縁片側
２０ｃ          表面
２２            舗装面
２３            目地
２４            上向き傾斜面
２５            下向き傾斜面
２６            鉛直面
２６ａ          鉛直面
２９            湾曲連結部
３０            連結凹部
３２            湾曲表面連結部（鋭角表面連結部）
３３            略Ｖ字形の防草傾斜面
３４            下向き経年隙間
３４ａ          上下向き経年隙間
３５            凹部
３６            湾曲連結凹部
３７            略Ｗ字形の防草傾斜面
３８            逆略Ｖ字形の防草傾斜面
３９            逆略Ｗ字形の防草傾斜面
４０            ブロック
４０ａ          上縁片側
４０ｃ          表面
４２            舗装面
４３            目地
４４            上向き傾斜面
４５            下向き傾斜面
４６            鉛直面
４９            湾曲連結部
５０            連結凹部
５２            湾曲表面連結部（鋭角表面連結部）
５３            略Ｖ字形の防草傾斜面
５４            下向き経年隙間
５５            逆略Ｖ字形の防草傾斜面
６０            ブロック
６０ａ          上縁片側
６０ｃ          表面
６２            舗装面
６３            目地
６４            上向き傾斜面
６５            下向き傾斜面
６６            鉛直面
６９            湾曲連結部
７０            連結凹部
７２            湾曲表面連結部（鋭角表面連結部）
７３            略Ｖ字形の防草傾斜面
７５            逆略Ｖ字形の防草傾斜面
８２            舗装面
８２ａ          上縁片側
８２ｃ          表面
８３            目地
８４            上向き傾斜面
８５            下向き傾斜面
８６            鉛直面
８９            湾曲連結部
９０            連結凹部
９２            湾曲表面連結部（鋭角表面連結部）
９３            略Ｖ字形の防草傾斜面
９４            下向き経年隙間
９５            逆略Ｖ字形の防草傾斜面
１００          ブロック
１００ａ        上縁片側
１００ｂ        下縁片側
１００ｂ−１    下縁
１０２          舗装面
１０３          目地
１０４          上向き傾斜面
１０５          下向き傾斜面
１０６          鉛直面
１０６ａ        鉛直面
１０９          湾曲連結部
１１０          連結凹部
１１３          略Ｖ字形の防草傾斜面
１１４          下向き経年隙間
１１５          逆略Ｖ字形の防草傾斜面
１２０          躯体
１２０ａ        上縁片側
１２２          舗装面
１２３          目地
１２４          上向き傾斜面
１２５          下向き傾斜面
１２６          鉛直面
１２９          湾曲連結部
１３０          連結凹部
１３３          略Ｖ字形の防草傾斜面
１３４          下向き経年隙間
１３５          逆略Ｖ字形の防草傾斜面
１４０          ブロック
１４０ａ        上縁片側
１４０ｂ        下縁片側
１４０ｂ−１    下縁
１４０ｃ        表面
１４２          舗装面
１４３          目地
１４４          上向き傾斜面
１４５          下向き傾斜面
１４６          鉛直面
１４６ａ        鉛直面
１４９          湾曲連結部
１５０          連結凹部
１５２          湾曲表面連結部（鋭角表面連結部）
１５３          略Ｖ字形の防草傾斜面
１５４          下向き経年隙間
１５５          逆略Ｖ字形の防草傾斜面
１６０          暗渠ブロック
１６０ａ        上縁片側
１６０ｃ        表面
１６２          舗装面
１６３          目地
１６４          上向き傾斜面
１６５          下向き傾斜面
１６６          鉛直面
１６９          湾曲連結部
１７０          連結凹部
１７２          湾曲表面連結部（鋭角表面連結部）
１７３          略Ｖ字形の防草傾斜面
１７４          下向き経年隙間
１７５          逆略Ｖ字形の防草傾斜面
１８０          ブロック構造物
１８０ａ        上縁片側
１８０ｃ        表面
１８３          目地
１８４          上向き傾斜面
１８５          下向き傾斜面
１８６          鉛直面
１８９          湾曲連結部
１９０          連結凹部
１９２          湾曲表面連結部（鋭角表面連結部）
１９３          略Ｖ字形の防草傾斜面
１９５          逆略Ｖ字形の防草傾斜面
【手続補正３】
【補正対象書類名】図面
【補正対象項目名】図１−１−１
【補正方法】変更
【補正の内容】
【図１−１−１】
2007291825.tif 000031
【手続補正４】
【補正対象書類名】図面
【補正対象項目名】図２
【補正方法】変更
【補正の内容】
【図２】
2007291825.tif 000032
【手続補正５】
【補正対象書類名】図面
【補正対象項目名】図３
【補正方法】変更
【補正の内容】
【図３】
2007291825.tif 000033
【手続補正６】
【補正対象書類名】図面
【補正対象項目名】図４−１−１
【補正方法】変更
【補正の内容】
【図４−１−１】
2007291825.tif 000034
【手続補正７】
【補正対象書類名】図面
【補正対象項目名】図５
【補正方法】変更
【補正の内容】
【図５】
2007291825.tif 000035
【手続補正８】
【補正対象書類名】図面
【補正対象項目名】図６
【補正方法】変更
【補正の内容】
【図６】
2007291825.tif 000036
【手続補正９】
【補正対象書類名】図面
【補正対象項目名】図７
【補正方法】変更
【補正の内容】
【図７】
2007291825.tif 000037
【手続補正１０】
【補正対象書類名】図面
【補正対象項目名】図８
【補正方法】変更
【補正の内容】
【図８】
2007291825.tif 000038
【手続補正１１】
【補正対象書類名】図面
【補正対象項目名】図９
【補正方法】変更
【補正の内容】
【図９】
2007291825.tif 000039
【手続補正１２】
【補正対象書類名】図面
【補正対象項目名】図１０−１−１
【補正方法】変更
【補正の内容】
【図１０−１−１】
2007291825.tif 000040
【手続補正１３】
【補正対象書類名】図面
【補正対象項目名】図１１
【補正方法】変更
【補正の内容】
【図１１】
2007291825.tif 000041